(57)【要約】  本願は、サイドリンク情報の伝送方法、通信デバイス、およびネットワークデバイスを提供し、Ｖ２Ｘ通信でサイドリンク制御情報リソースを伝送するために使用される柔軟な構成方法を提供する。固定リソースの代わりに、時間領域リソースおよび周波数領域リソースにより満たされる第１対応関係に基づいて、サイドリンク通信に使用されるリソースプールから選択されるリソースが、サイドリンク制御情報を伝送するために使用される。更に、サイドリンク制御情報を伝送するために使用されるリソース、およびサイドリンクデータを伝送するために使用されるリソースに対して時間分割多重化が実行されるか、または、サイドリンク制御情報を伝送するために使用されるリソース、およびサイドリンクデータを伝送するために使用されるリソースに対して周波数分割多重化が実行され、その結果、第１通信デバイスが、柔軟に構成されたリソース上で第２通信デバイスにサイドリンク制御情報およびサイドリンクデータを送信することができる。
2022500945.tif 000002
【特許請求の範囲】
【請求項１】
サイドリンク情報の伝送方法であって、
ネットワークデバイスが第１通信デバイスに第１指示情報を送信する段階であって、前記第１指示情報は第１リソースを示し、前記第１リソースは、サイドリンク情報を伝送するために使用されるリソースセットであり、前記サイドリンク情報はサイドリンク制御情報およびサイドリンクデータを含み、前記第１リソースは、時間領域内に少なくとも１つの時間単位を、周波数領域内に少なくとも１つのサブチャネルを含み、前記時間単位は少なくとも１つのシンボルを含み、前記サブチャネルは少なくとも１つのリソースブロックを含み、前記第１指示情報は、前記第１リソース内にあり、かつ、前記サイドリンク制御情報を伝送するために使用される、リソースの時間領域リソースおよび周波数領域リソースにより満たされる第１対応関係を取得するために使用される、段階と、
前記ネットワークデバイスが前記第１通信デバイスに第１制御情報を送信する段階であって、前記第１制御情報は第２リソースを示し、前記第２リソースは前記第１リソースに属し、前記第２リソースは第３リソースおよび第４リソースを含み、前記第３リソースは、第２通信デバイスに前記サイドリンク制御情報を送信するために前記第１通信デバイスにより使用され、前記第３リソースは時間領域内に少なくとも１つのシンボルを、周波数領域内に少なくとも１つのリソースブロックを含み、前記第３リソースは前記第１対応関係を満たし、前記第４リソースは、前記サイドリンク制御情報に基づいて前記第２通信デバイスに前記サイドリンクデータを送信するために第１通信デバイスにより使用される、段階と
を備える方法。
【請求項２】
前記第１対応関係は第１関係テーブルに属し、前記第１指示情報は前記第１関係テーブルを含むか、または前記第１関係テーブルは事前定義された関係テーブルであり、前記第１関係テーブルは、時間領域内で前記第３リソースにより占有されるシンボルの数と、周波数領域内で前記第３リソースにより占有されるリソースブロックの数との間の少なくとも１つの対応関係を含む、
請求項１に記載の方法。
【請求項３】
周波数領域内で前記第３リソースにより占有される前記リソースブロックの前記数は、前記サブチャネルに含まれるリソースブロックの数と同じであり、前記第３リソースは、周波数領域内で前記第２リソースにより占有される少なくとも１つのサブチャネルの中で最も小さなシーケンス番号を有するサブチャネル上に位置付けられる、
請求項２に記載の方法。
【請求項４】
前記第１指示情報は、時間領域内で前記第３リソースにより占有される前記シンボルの前記数、または周波数領域内で前記第３リソースにより占有される前記リソースブロックの前記数のうちの少なくとも一方を含む、
請求項２に記載の方法。
【請求項５】
前記第３リソースはｍ個の制御チャネル要素を含み、ｍは１より大きいか１に等しい整数であり、前記制御チャネル要素は時間領域内に少なくとも１つのシンボルを、周波数領域内に少なくとも１つのリソースブロックまたはサブキャリアを含む、
請求項１から４のいずれか一項に記載の方法。
【請求項６】
前記第１指示情報は、前記第３リソースに含まれる前記制御チャネル要素の前記数ｍ、時間領域内で前記制御チャネル要素に含まれるシンボルの数、または周波数領域内で前記制御チャネル要素に含まれるリソースブロックまたはサブキャリアの数のうちの少なくとも１つを示す、または、前記第３リソースに含まれる前記制御チャネル要素の前記数ｍ、時間領域内で前記制御チャネル要素に含まれるシンボルの数、または周波数領域内で前記制御チャネル要素に含まれるリソースブロックまたはサブキャリアの数のうちの少なくとも１つが、事前定義された情報である、
請求項５に記載の方法。
【請求項７】
前記第３リソースに含まれる前記ｍ個の制御チャネル要素は、時間領域優先方式または周波数領域優先方式で、前記第２リソースにより占有される少なくとも１つのサブチャネルの中で最も小さなシーケンス番号を有する前記サブチャネルにマッピングされる、
請求項５または６に記載の方法。
【請求項８】
サイドリンク情報の伝送方法であって、
第１通信デバイスが第３リソース上で第２通信デバイスにサイドリンク制御情報を送信する段階であって、前記第３リソースは時間領域内に少なくとも１つのシンボルを、周波数領域内に少なくとも１つのリソースブロックを含む、段階と、
前記第１通信デバイスが第４リソース上で前記サイドリンク制御情報に基づいて前記第２通信デバイスにサイドリンクデータを送信する段階であって、前記第４リソースは時間領域内に少なくとも１つのシンボルを、周波数領域内に少なくとも１つのリソースブロックを含む、段階と
を備える方法。
【請求項９】
前記第１通信デバイスがネットワークデバイスから第１指示情報を受信する段階であって、前記第１指示情報は第１リソースを示し、前記第１リソースは、サイドリンク情報を伝送するために使用されるリソースセットであり、前記サイドリンク情報は前記サイドリンク制御情報および前記サイドリンクデータを含み、前記第１リソースは時間領域内に少なくとも１つの時間単位を、周波数領域内に少なくとも１つのサブチャネルを含み、前記時間単位は少なくとも１つのシンボルを含み、前記サブチャネルは少なくとも１つのリソースブロックを含み、前記第１指示情報は更に、前記第１リソース内にあり、かつ、前記サイドリンク制御情報を伝送するために使用される、リソースの時間領域リソースおよび周波数領域リソースにより満たされる第１対応関係を取得するために使用される、段階と、
前記第１通信デバイスが前記ネットワークデバイスから第１制御情報を受信する段階であって、前記第１制御情報は第２リソースを示し、前記第２リソースは前記第１リソースに属し、前記第２リソースは前記第３リソースおよび前記第４リソースを含み、前記第３リソースは前記第１対応関係を満たす、段階と
を更に備える請求項８に記載の方法。
【請求項１０】
前記第１対応関係は第１関係テーブルに属し、前記第１指示情報は前記第１関係テーブルを含むか、または前記第１関係テーブルは事前定義された関係テーブルであり、前記第１関係テーブルは、時間領域内で前記第３リソースにより占有されるシンボルの数と、周波数領域内で前記第３リソースにより占有されるリソースブロックの数との間の少なくとも１つの対応関係を含む、
請求項９に記載の方法。
【請求項１１】
周波数領域内で前記第３リソースにより占有される前記リソースブロックの前記数は、前記サブチャネルに含まれるリソースブロックの数と同じであり、前記第３リソースは、周波数領域内で前記第２リソースにより占有される少なくとも１つのサブチャネルの中で最も小さなシーケンス番号を有するサブチャネル上に位置付けられる、
請求項１０に記載の方法。
【請求項１２】
前記第１指示情報は、時間領域内で前記第３リソースにより占有される前記シンボルの前記数、または周波数領域内で前記第３リソースにより占有される前記リソースブロックの前記数のうちの少なくとも一方を含む、
請求項１０または１１に記載の方法。
【請求項１３】
前記第１通信デバイスが第５リソースから第２リソースを選択する段階であって、前記第２リソースは前記第３リソースおよび前記第４リソースを含み、前記第５リソースは、サイドリンク情報を伝送するために使用される事前定義されたリソースセットであり、前記サイドリンク情報は前記サイドリンク制御情報および前記サイドリンクデータを含み、前記第５リソースは時間領域内に少なくとも１つの時間単位を、周波数領域内に少なくとも１つのサブチャネルを含み、前記時間単位は少なくとも１つのシンボルを含み、前記サブチャネルは少なくとも１つのリソースブロックを含み、前記第５リソース内にあり、かつ、前記サイドリンク制御情報を伝送するために使用される、リソースの時間領域リソースおよび周波数領域リソースが、事前定義された第１対応関係を満たし、前記第３リソースは前記第１対応関係を満たす、段階
を備える請求項８に記載の方法。
【請求項１４】
前記第３リソースはｍ個の制御チャネル要素を含み、ｍは１より大きいか１に等しい整数であり、前記制御チャネル要素は時間領域内に少なくとも１つのシンボルを、周波数領域内に少なくとも１つのリソースブロックまたはサブキャリアを含む、
請求項９から１３のいずれか一項に記載の方法。
【請求項１５】
前記第１通信デバイスがネットワークデバイスから受信する第１指示情報は、前記制御チャネル要素の前記数ｍ、時間領域内で前記制御チャネル要素に含まれるシンボルの数、または周波数領域内で前記制御チャネル要素に含まれるリソースブロックまたはサブキャリアの数のうちの少なくとも１つを示す、または、前記制御チャネル要素の前記数ｍ、時間領域内で前記制御チャネル要素に含まれるシンボルの数、または周波数領域内で前記制御チャネル要素に含まれるリソースブロックまたはサブキャリアの数のうちの少なくとも１つが、事前定義され得る、
請求項１４に記載の方法。
【請求項１６】
前記第３リソースに含まれる前記ｍ個の制御チャネル要素は、時間領域優先方式または周波数領域優先方式で、前記第２リソースにより占有される少なくとも１つのサブチャネルの中で最も小さなシーケンス番号を有する前記サブチャネルにマッピングされる、
請求項１４または１５に記載の方法。
【請求項１７】
ネットワークデバイスであって、
第１通信デバイスに第１指示情報を送信するように構成される送信ユニットであって、前記第１指示情報は第１リソースを示し、前記第１リソースは、サイドリンク情報を伝送するために使用されるリソースセットであり、前記サイドリンク情報はサイドリンク制御情報およびサイドリンクデータを含み、前記第１リソースは、時間領域内に少なくとも１つの時間単位を、周波数領域内に少なくとも１つのサブチャネルを含み、前記時間単位は少なくとも１つのシンボルを含み、前記サブチャネルは少なくとも１つのリソースブロックを含み、前記第１指示情報は、前記第１リソース内にあり、かつ、前記サイドリンク制御情報を伝送するために使用される、リソースの時間領域リソースおよび周波数領域リソースにより満たされる第１対応関係を取得するために使用される、送信ユニット
を備え、
前記送信ユニットは、前記第１通信デバイスに第１制御情報を送信するように構成され、前記第１制御情報は第２リソースを示し、前記第２リソースは前記第１リソースに属し、前記第２リソースは第３リソースおよび第４リソースを含み、前記第３リソースは、第２通信デバイスに前記サイドリンク制御情報を送信するために前記第１通信デバイスにより使用され、前記第３リソースは時間領域内に少なくとも１つのシンボルを、周波数領域内に少なくとも１つのリソースブロックを含み、前記第３リソースは前記第１対応関係を満たし、前記第４リソースは、前記サイドリンク制御情報に基づいて前記第２通信デバイスに前記サイドリンクデータを送信するために前記第１通信デバイスにより使用される、
ネットワークデバイス。
【請求項１８】
前記第１対応関係は第１関係テーブルに属し、前記第１指示情報は前記第１関係テーブルを含むか、または前記第１関係テーブルは事前定義された関係テーブルであり、前記第１関係テーブルは、時間領域内で前記第３リソースにより占有されるシンボルの数と、周波数領域内で前記第３リソースにより占有されるリソースブロックの数との間の少なくとも１つの対応関係を含む、
請求項１７に記載のネットワークデバイス。
【請求項１９】
周波数領域内で前記第３リソースにより占有される前記リソースブロックの前記数は、前記サブチャネルに含まれるリソースブロックの数と同じであり、前記第３リソースは、周波数領域内で前記第２リソースにより占有される少なくとも１つのサブチャネルの中で最も小さなシーケンス番号を有するサブチャネル上に位置付けられる、
請求項１８に記載のネットワークデバイス。
【請求項２０】
前記第１指示情報は、時間領域内で前記第３リソースにより占有される前記シンボルの前記数、または周波数領域内で前記第３リソースにより占有される前記リソースブロックの前記数のうちの少なくとも一方を含む、
請求項１８または１９に記載のネットワークデバイス。
【請求項２１】
前記第３リソースはｍ個の制御チャネル要素を含み、ｍは１より大きいか１に等しい整数であり、前記制御チャネル要素は時間領域内に少なくとも１つのシンボルを、周波数領域内に少なくとも１つのリソースブロックまたはサブキャリアを含む、
請求項１７から２０のいずれか一項に記載のネットワークデバイス。
【請求項２２】
前記第１指示情報は、前記第３リソースに含まれる前記制御チャネル要素の前記数ｍ、時間領域内で前記制御チャネル要素に含まれるシンボルの数、または周波数領域内で前記制御チャネル要素に含まれるリソースブロックまたはサブキャリアの数のうちの少なくとも１つを示す、または、前記第３リソースに含まれる前記制御チャネル要素の前記数ｍ、時間領域内で前記制御チャネル要素に含まれるシンボルの数、または周波数領域内で前記制御チャネル要素に含まれるリソースブロックまたはサブキャリアの数のうちの少なくとも１つが、事前定義された情報である、
請求項２１に記載のネットワークデバイス。
【請求項２３】
前記第３リソースに含まれる前記ｍ個の制御チャネル要素は、時間領域優先方式または周波数領域優先方式で、前記第２リソースにより占有される少なくとも１つのサブチャネルの中で最も小さなシーケンス番号を有する前記サブチャネルにマッピングされる、
請求項２１または２２に記載のネットワークデバイス。
【請求項２４】
第１通信デバイスであって、
第３リソース上で第２通信デバイスにサイドリンク制御情報を送信するように構成される送信ユニットであって、前記第３リソースは時間領域内に少なくとも１つのシンボルを、周波数領域内に少なくとも１つのリソースブロックを含む、送信ユニット
を備え、
前記送信ユニットは、第４リソース上で前記サイドリンク制御情報に基づいて前記第２通信デバイスにサイドリンクデータを送信するように構成され、前記第４リソースは時間領域内に少なくとも１つのシンボルを、周波数領域内に少なくとも１つのリソースブロックを含む、
第１通信デバイス。
【請求項２５】
ネットワークデバイスから第１指示情報を受信するように構成される受信ユニットであって、前記第１指示情報は第１リソースを示し、前記第１リソースは、サイドリンク情報を伝送するために使用されるリソースセットであり、前記サイドリンク情報は前記サイドリンク制御情報および前記サイドリンクデータを含み、前記第１リソースは時間領域内に少なくとも１つの時間単位を、周波数領域内に少なくとも１つのサブチャネルを含み、前記時間単位は少なくとも１つのシンボルを含み、前記サブチャネルは少なくとも１つのリソースブロックを含み、前記第１指示情報は、前記第１リソース内にあり、かつ、前記サイドリンク制御情報を伝送するために使用される、リソースの時間領域リソースおよび周波数領域リソースにより満たされる第１対応関係を取得するために使用される、受信ユニット
を備え、
前記受信ユニットは、前記ネットワークデバイスから第１制御情報を受信するように構成され、前記第１制御情報は第２リソースを示し、前記第２リソースは前記第１リソースに属し、前記第２リソースは前記第３リソースおよび前記第４リソースを含み、前記第３リソースは前記第１対応関係を満たす、
請求項２４に記載の第１通信デバイス。
【請求項２６】
前記第１対応関係は第１関係テーブルに属し、前記第１指示情報は前記第１関係テーブルを含むか、または前記第１関係テーブルは事前定義された関係テーブルであり、前記第１関係テーブルは、時間領域内で前記第３リソースにより占有されるシンボルの数と、周波数領域内で前記第３リソースにより占有されるリソースブロックの数との間の少なくとも１つの対応関係を含む、
請求項２５に記載の第１通信デバイス。
【請求項２７】
周波数領域内で前記第３リソースにより占有される前記リソースブロックの前記数は、前記サブチャネルに含まれるリソースブロックの数と同じであり、前記第３リソースは、周波数領域内で前記第２リソースにより占有される少なくとも１つのサブチャネルの中で最も小さなシーケンス番号を有するサブチャネル上に位置付けられる、
請求項２６に記載の第１通信デバイス。
【請求項２８】
前記第１指示情報は、時間領域内で前記第３リソースにより占有される前記シンボルの前記数、または周波数領域内で前記第３リソースにより占有される前記リソースブロックの前記数のうちの少なくとも一方を含む、
請求項２６または２７に記載の第１通信デバイス。
【請求項２９】
第５リソースから第２リソースを選択するように構成される処理ユニットであって、前記第２リソースは前記第３リソースおよび前記第４リソースを含み、前記第５リソースは、サイドリンク情報を伝送するために使用される事前定義されたリソースセットであり、前記サイドリンク情報は前記サイドリンク制御情報および前記サイドリンクデータを含み、前記第５リソースは時間領域内に少なくとも１つの時間単位を、周波数領域内に少なくとも１つのサブチャネルを含み、前記時間単位は少なくとも１つのシンボルを含み、前記サブチャネルは少なくとも１つのリソースブロックを含み、前記第５リソース内にあり、かつ、前記サイドリンク制御情報を伝送するために使用される、リソースの時間領域リソースおよび周波数領域リソースが、事前定義された第１対応関係を満たし、前記第３リソースは前記第１対応関係を満たす、処理ユニット
を備える請求項２４に記載の第１通信デバイス。
【請求項３０】
前記第３リソースはｍ個の制御チャネル要素を含み、ｍは１より大きいか１に等しい整数であり、前記制御チャネル要素は時間領域内に少なくとも１つのシンボルを、周波数領域内に少なくとも１つのリソースブロックまたはサブキャリアを含む、
請求項２５から２９のいずれか一項に記載の第１通信デバイス。
【請求項３１】
受信ユニットがネットワークデバイスから受信する第１指示情報は、前記制御チャネル要素の前記数ｍ、時間領域内で前記制御チャネル要素に含まれるシンボルの数、または周波数領域内で前記制御チャネル要素に含まれるリソースブロックまたはサブキャリアの数のうちの少なくとも１つを示す、または、前記制御チャネル要素の前記数ｍ、時間領域内で前記制御チャネル要素に含まれるシンボルの数、または周波数領域内で前記制御チャネル要素に含まれるリソースブロックまたはサブキャリアの数のうちの少なくとも１つが、事前定義され得る、
請求項３０に記載の第１通信デバイス。
【請求項３２】
前記第３リソースに含まれる前記ｍ個の制御チャネル要素は、時間領域優先方式または周波数領域優先方式で、前記第２リソースにより占有される少なくとも１つのサブチャネルの中で最も小さなシーケンス番号を有する前記サブチャネルにマッピングされる、
請求項３０または３１に記載の第１通信デバイス。
【請求項３３】
コンピュータに、請求項１から７のいずれか一項に記載の方法を実行させるためのプログラム。
【請求項３４】
コンピュータに、請求項８から１６のいずれか一項に記載の方法を実行させるためのプログラム。
【発明の詳細な説明】
【技術分野】
【０００１】
本願は、２０１８年９月１９日に国家知識産権局に出願された「ＳＩＤＥＬＩＮＫ  ＩＮＦＯＲＭＡＴＩＯＮ  ＴＲＡＮＳＭＩＳＳＩＯＮ  ＭＥＴＨＯＤ，ＣＯＭＭＵＮＩＣＡＴＩＯＮＳ  ＤＥＶＩＣＥ，ＡＮＤ  ＮＥＴＷＯＲＫ  ＤＥＶＩＣＥ」と題する中国特許出願第２０１８１１０９４０２２．３号に基づく優先権を主張するものであり、その全体が参照により本明細書に組み込まれる。
【０００２】
本願の複数の実施形態は、通信システム、特に、サイドリンク情報の伝送方法、通信デバイス、およびネットワークデバイスに関する。
【背景技術】
【０００３】
デバイス間（Ｄｅｖｉｃｅ−ｔｏ−Ｄｅｖｉｃｅ、Ｄ２Ｄ）通信、車車間（Ｖｅｈｉｃｌｅ−ｔｏ−Ｖｅｈｉｃｌｅ、Ｖ２Ｖ）通信、車歩行者間（Ｖｅｈｉｃｌｅ−ｔｏ−Ｐｅｄｅｓｔｒｉａｎ、Ｖ２Ｐ）通信、または路車間／車ネットワーク間（Ｖｅｈｉｃｌｅ−ｔｏ−Ｉｎｆｒａｓｔｒｕｃｔｕｒｅ／Ｎｅｔｗｏｒｋ、Ｖ２Ｉ／Ｎ）通信は、端末デバイス（ｔｅｒｍｉｎａｌ  ｄｅｖｉｃｅ）間の直接通信のための技術である。端末デバイス間の直接伝送はサイドリンク（Ｓｉｄｅｌｉｎｋ、ＳＬ）伝送として定義され、Ｖ２Ｖ、Ｖ２Ｐ、およびＶ２Ｉ／Ｎは、車両が全てのものと通信することを意味するＶ２Ｘと総称される。
【０００４】
Ｖ２Ｘ通信が例として使用される。ある端末デバイスが別の端末デバイスと制御情報およびデータの通信を実行することができる。既存のＶ２Ｘ通信では、サイドリンク制御情報の伝送に使用される時間領域リソースおよび周波数領域リソースの両方のサイズが固定されており、サイドリンク制御情報の伝送に使用される時間周波数リソースを柔軟に構成することができない。
【発明の概要】
【０００５】
本願の複数の実施形態は、サイドリンク制御情報の伝送に使用される時間周波数リソースを柔軟に構成するための、サイドリンク情報の伝送方法、通信デバイス、ネットワークデバイス、および通信システムを提供する。
【０００６】
第１態様によれば、サイドリンク情報の伝送方法が提供される。方法はネットワークデバイスまたはネットワークデバイスのチップにより実行されてよく、ネットワークデバイスが第１通信デバイスに第１指示情報を送信する段階であって、第１指示情報は第１リソースを示し、第１リソースは、サイドリンク情報を伝送するために使用されるリソースセットであり、サイドリンク情報はサイドリンク制御情報およびサイドリンクデータを含み、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に、第１リソース内にあり、かつ、サイドリンク制御情報を伝送するために使用される、リソースの時間領域リソースおよび周波数領域リソースにより満たされる第１対応関係を取得するために使用される、段階と、ネットワークデバイスが第１通信デバイスに第１制御情報を送信する段階であって、第１制御情報は第２リソースを示し、第２リソースは第１リソースに属し、第２リソースは第３リソースおよび第４リソースを含み、第３リソースは、第２通信デバイスにサイドリンク制御情報を送信するために第１通信デバイスにより使用され、第３リソースは時間領域内に少なくとも１つのシンボルを、周波数領域内に少なくとも１つのリソースブロックを含み、第３リソースは第１対応関係を満たし、第４リソースは、サイドリンク制御情報に基づいて第２通信デバイスにサイドリンクデータを送信するために第１通信デバイスにより使用される、段階とを含む。
【０００７】
本願のこの実施形態によれば、ネットワークデバイスは、第１通信デバイスの第１リソースを構成し、第１対応関係に基づいて第１リソースの第２リソース上に第３リソースおよび第４リソースを柔軟に構成し、その結果、サイドリンク制御情報およびサイドリンクデータを伝送するために使用される時間領域リソースおよび周波数領域リソースを柔軟に構成する。
【０００８】
ある考えられる設計では、第１対応関係は第１関係テーブルに属し、第１指示情報は第１関係テーブルを含むか、または第１関係テーブルは事前定義された関係テーブルであり、第１関係テーブルは、時間領域内で第３リソースにより占有されるシンボルの数と、周波数領域内で第３リソースにより占有されるリソースブロックの数との間の少なくとも１つの対応関係を含む。このように、第１関係テーブル内の複数の対応関係において第１対応関係を決定することにより、サイドリンク制御情報の伝送用のリソースを構成する柔軟性を更に向上させることができる。
【０００９】
ある考えられる設計では、周波数領域内で第３リソースにより占有されるリソースブロックの数は、サブチャネルに含まれるリソースブロックの数と同じであり、第３リソースは、周波数領域内で第２リソースにより占有される少なくとも１つのサブチャネルの中で最も小さなシーケンス番号を有するサブチャネル上に位置付けられる。周波数領域内で第３リソースにより占有されるリソースブロックの数は、サブチャネルに含まれるリソースブロックの数と同じであるため、サイドリンク制御情報構成の互換性が向上する。
【００１０】
ある考えられる設計では、第１指示情報は、時間領域内で第３リソースにより占有されるシンボルの数、および、周波数領域内で第３リソースにより占有されるリソースブロックの数のうちの少なくとも一方を含む。従って、第１対応関係は、第１関係テーブルと、時間領域内で第３リソースにより占有されるシンボルの数、または周波数領域内で第３リソースにより占有されるリソースブロックの数とに基づいて決定され得る。代替的に、第１対応関係は、時間領域内で第３リソースにより占有されるシンボルの数と、周波数領域内で第３リソースにより占有されるリソースブロックの数とに基づいて決定され得る。代替的に、第１対応関係は、時間領域内で第３リソースにより占有されるシンボルの数と、サブチャネルに含まれるリソースブロックの数とに基づいて決定され得る。従って、第３リソースは第２リソース内に構成される。
【００１１】
ある考えられる設計では、第３リソースはｍ個の制御チャネル要素を含み、ｍは１より大きいか１に等しい整数であり、制御チャネル要素は時間領域内に少なくとも１つのシンボルを、周波数領域内に少なくとも１つのリソースブロックまたはサブキャリアを含む。
【００１２】
ある考えられる設計では、第１指示情報が更に、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つを示す、または、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つが、事前定義された情報である。従って、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数を決定することができる。
【００１３】
ある考えられる設計では、第３リソースに含まれるｍ個の制御チャネル要素は、時間領域優先方式または周波数領域優先方式で、第２リソースに含まれる最も小さなシーケンス番号を有するサブチャネルにマッピングされる。サイドリンク制御情報は、時間領域優先方式で、すなわち、時間領域シンボルが小さい順に、あるシンボルを完全に占有してから次のシンボルを占有するように配置されて、サイドリンク情報に含まれる制御チャネル要素を配置する。代替的に、サイドリンク制御情報は、周波数領域優先方式で、すなわち、周波数領域リソースシーケンス番号が小さい順に、あるリソースブロックを完全に占有してから次のリソースブロックを占有するように配置されて、サイドリンク情報に含まれる制御チャネル要素を配置する。従って、サイドリンク制御情報を構成する柔軟性を更に向上させることができる。
【００１４】
第２態様によれば、サイドリンク情報の伝送方法が提供される。方法は第１通信デバイスまたは第１通信デバイスのチップにより実行されてよく、第１通信デバイスが第３リソース上で第２通信デバイスにサイドリンク制御情報を送信する段階であって、第３リソースは時間領域内に少なくとも１つのシンボルを、周波数領域内に少なくとも１つのリソースブロックを含む、段階と、第１通信デバイスが第４リソース上でサイドリンク制御情報に基づいて第２通信デバイスにサイドリンクデータを送信する段階であって、第４リソースは時間領域内に少なくとも１つのシンボルを、周波数領域内に少なくとも１つのリソースブロックを含む、段階とを含む。
【００１５】
本願のこの実施形態によれば、第１通信デバイスは、柔軟に構成される第３リソースおよび第４リソース上で、第２通信デバイスにサイドリンク制御情報およびサイドリンクデータをそれぞれ送信する。
【００１６】
ある考えられる設計では、第１通信デバイスはネットワークデバイスから第１指示情報を受信し、第１指示情報は第１リソースを示し、第１リソースは、サイドリンク情報を伝送するために使用されるリソースセットであり、サイドリンク情報はサイドリンク制御情報およびサイドリンクデータを含み、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に、第１リソース内にあり、かつ、サイドリンク制御情報を伝送するために使用される、リソースの時間領域リソースおよび周波数領域リソースにより満たされる第１対応関係を取得するために使用される。第１通信デバイスはネットワークデバイスから第１制御情報を受信し、第１制御情報は第２リソースを示し、第２リソースは第１リソースに属し、第２リソースは第３リソースおよび第４リソースを含み、第３リソースは第１対応関係を満たす。従って、第１通信デバイスは第１リソースを取得し、第１対応関係に基づいて第１リソースの第２リソース上で第３リソースおよび第４リソースを取得し、その結果、サイドリンク制御情報およびサイドリンクデータを伝送するために使用される時間領域リソースおよび周波数領域リソースを柔軟に構成する。
【００１７】
ある考えられる設計では、第１対応関係は第１関係テーブルに属し、第１指示情報は第１関係テーブルを含むか、または第１関係テーブルは事前定義された関係テーブルであり、第１関係テーブルは、時間領域内で第３リソースにより占有されるシンボルの数と、周波数領域内で第３リソースにより占有されるリソースブロックの数との間の少なくとも１つの対応関係を含む。このように、第１関係テーブル内の複数の対応関係において第１対応関係を決定することにより、サイドリンク制御情報の伝送用のリソースを構成する柔軟性を更に向上させることができる。
【００１８】
ある考えられる設計では、周波数領域内で第３リソースにより占有されるリソースブロックの数は、サブチャネルに含まれるリソースブロックの数と同じであり、第３リソースは、周波数領域内で第２リソースにより占有される少なくとも１つのサブチャネルの中で最も小さなシーケンス番号を有するサブチャネル上に位置付けられる。周波数領域内で第３リソースにより占有されるリソースブロックの数は、サブチャネルに含まれるリソースブロックの数と同じであるため、サイドリンク制御情報構成の互換性が向上する。
【００１９】
ある考えられる設計では、第１指示情報は、時間領域内で第３リソースにより占有されるシンボルの数、および、周波数領域内で第３リソースにより占有されるリソースブロックの数のうちの少なくとも一方を含む。従って、第１対応関係は、第１関係テーブルと、時間領域内で第３リソースにより占有されるシンボルの数、または周波数領域内で第３リソースにより占有されるリソースブロックの数とに基づいて決定され得る。代替的に、第１対応関係は、時間領域内で第３リソースにより占有されるシンボルの数と、周波数領域内で第３リソースにより占有されるリソースブロックの数とに基づいて決定され得る。代替的に、第１対応関係は、時間領域内で第３リソースにより占有されるシンボルの数と、サブチャネルに含まれるリソースブロックの数とに基づいて決定され得る。従って、第３リソースは第２リソースから取得される。
【００２０】
ある考えられる設計では、第１通信デバイスは第５リソースから第２リソースを選択し、第２リソースは第３リソースおよび第４リソースを含み、第５リソースは、サイドリンク情報を伝送するために使用される事前定義されたリソースセットであり、サイドリンク情報はサイドリンク制御情報およびサイドリンクデータを含み、第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第５リソース内にあり、かつ、サイドリンク制御情報を伝送するために使用される、リソースの時間領域リソースおよび周波数領域リソースが、事前定義された第１対応関係を満たし、第３リソースは第１対応関係を満たす。従って、事前定義された第５リソースを取得することができ、第３リソースおよび第４リソースを、事前定義された第１対応関係に基づいて、第５リソースから独立して選択される第２リソース上で取得し、その結果、サイドリンク制御情報およびサイドリンクデータを伝送するために使用される時間領域リソースおよび周波数領域リソースを柔軟に構成することができる。
【００２１】
ある考えられる設計では、第３リソースはｍ個の制御チャネル要素を含み、ｍは１より大きいか１に等しい整数であり、制御チャネル要素は時間領域内に少なくとも１つのシンボルを、周波数領域内に少なくとも１つのリソースブロックまたはサブキャリアを含む。
【００２２】
ある考えられる設計では、第１指示情報が更に、制御チャネル要素の数ｍ、時間領域内で制御チャネル要素に含まれるシンボルの数、周波数領域内で制御チャネル要素に含まれるリソースブロックまたはサブキャリアの数のうちの少なくとも１つを示す、または、制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つが事前定義され得る。従って、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数を決定することができる。
【００２３】
ある考えられる設計では、第３リソースに含まれるｍ個の制御チャネル要素は、時間領域優先方式または周波数領域優先方式で、第２リソースに含まれる最も小さなシーケンス番号を有するサブチャネルにマッピングされる。サイドリンク制御情報は、時間領域優先方式で、すなわち、時間領域シンボルが小さい順に、あるシンボルを完全に占有してから次のシンボルを占有するように配置されて、サイドリンク情報に含まれる制御チャネル要素を配置する。代替的に、サイドリンク制御情報は、周波数領域優先方式で、すなわち、周波数領域リソースシーケンス番号が小さい順に、あるリソースブロックを完全に占有してから次のリソースブロックを占有するように配置されて、サイドリンク情報に含まれる制御チャネル要素を配置する。従って、サイドリンク制御情報を構成する柔軟性を更に向上させることができる。
【００２４】
第３態様によれば、サイドリンク情報の伝送方法が提供される。方法は第２通信デバイスまたは第２通信デバイスのチップにより実行されてよく、第２通信デバイスが第３リソース上で第１通信デバイスからサイドリンク制御情報を受信する段階であって、第３リソースは時間領域内に少なくとも１つのシンボルを、周波数領域内に少なくとも１つのリソースブロックを含む、段階と、第２通信デバイスが第４リソース上でサイドリンク制御情報に基づいて第１通信デバイスからサイドリンクデータを受信する段階であって、第４リソースは時間領域内に少なくとも１つのシンボルを、周波数領域内に少なくとも１つのリソースブロックを含む、段階とを含む。
【００２５】
従って、第２通信デバイスは、柔軟に構成される第３リソースおよび第４リソース上で、第１通信デバイスからサイドリンク制御情報およびサイドリンクデータをそれぞれ受信する。
【００２６】
ある考えられる設計では、第２通信デバイスはネットワークデバイスから第１指示情報を受信し、第１指示情報は第１リソースを示し、第１リソースは、サイドリンク情報を伝送するために使用されるリソースセットであり、サイドリンク情報はサイドリンク制御情報およびサイドリンクデータを含み、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に、第１リソース内にあり、かつ、サイドリンク制御情報を伝送するために使用される、リソースの時間領域リソースおよび周波数領域リソースにより満たされる第１対応関係を取得するために使用される。
【００２７】
ある考えられる設計では、第１対応関係は第１関係テーブルに属し、第１指示情報は第１関係テーブルを含むか、または第１関係テーブルは事前定義された関係テーブルであり、第１関係テーブルは、サイドリンク制御情報を伝送するために使用されるリソースにより占有されるシンボルの数と、サイドリンク制御情報を伝送するために使用されるリソースにより周波数領域内で占有されるリソースブロックの数との間の少なくとも１つの対応関係を含む。このように、第１関係テーブル内の複数の対応関係において第１対応関係を決定することにより、サイドリンク制御情報の伝送用のリソースを構成する柔軟性を更に向上させることができる。
【００２８】
ある考えられる設計では、サイドリンク制御情報を伝送するために使用されるリソースにより周波数領域内で占有されるリソースブロックの数は、サブチャネルに含まれるリソースブロックの数と同じであり、サイドリンク制御情報を伝送するために使用されるリソースは、周波数領域内で第２リソースにより占有される少なくとも１つのサブチャネルの中で最も小さなシーケンス番号を有するサブチャネル上に位置付けられる。サイドリンク制御情報を伝送するために使用されるリソースにより周波数領域内で占有されるリソースブロックの数は、サブチャネルに含まれるリソースブロックの数と同じであるため、サイドリンク制御情報構成の互換性が向上する。
【００２９】
ある考えられる設計では、第１指示情報は、サイドリンク制御情報を伝送するために使用されるリソースにより時間領域内で占有されるシンボルの数、および、サイドリンク制御情報を伝送するために使用されるリソースにより周波数領域内で占有されるリソースブロックの数のうちの少なくとも一方を含む。従って、第１対応関係は、第１関係テーブルと、サイドリンク制御情報を伝送するために使用されるリソースにより時間領域内で占有されるシンボルの数、またはサイドリンク制御情報を伝送するために使用されるリソースにより周波数領域内で占有されるリソースブロックの数とに基づいて決定され得る。代替的に、第１対応関係は、サイドリンク制御情報を伝送するために使用されるリソースにより時間領域内で占有されるシンボルの数と、サイドリンク制御情報を伝送するために使用されるリソースにより周波数領域内で占有されるリソースブロックの数とに基づいて決定され得る。代替的に、第１対応関係は、サイドリンク制御情報を伝送するために使用されるリソースにより時間領域内で占有されるシンボルの数と、サブチャネルに含まれるリソースブロックの数とに基づいて決定され得る。
【００３０】
ある考えられる設計では、第２通信デバイスは第５リソースを取得し、第５リソースは、サイドリンク情報を伝送するために使用される事前定義されたリソースセットであり、サイドリンク情報はサイドリンク制御情報およびサイドリンクデータを含み、第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第５リソース内にあり、かつ、サイドリンク制御情報を伝送するために使用される、リソースの時間領域リソースおよび周波数領域リソースが、事前定義された第１対応関係を満たし、サイドリンク制御情報を伝送するために使用されるリソースは、第１対応関係を満たす。従って、事前定義された第５リソースを取得することができる。
【００３１】
ある考えられる設計では、サイドリンク制御情報を伝送するために使用されるリソースはｍ個の制御チャネル要素を含み、ｍは１より大きいか１に等しい整数であり、制御チャネル要素は時間領域内に少なくとも１つのシンボルを、周波数領域内に少なくとも１つのリソースブロックまたはサブキャリアを含む。
【００３２】
ある考えられる設計では、第１指示情報が更に、制御チャネル要素の数ｍ、時間領域内で制御チャネル要素に含まれるシンボルの数、周波数領域内で制御チャネル要素に含まれるリソースブロックまたはサブキャリアの数のうちの少なくとも１つを示す、または、制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つが事前定義され得る。従って、サイドリンク制御情報を伝送するために使用されるリソースに含まれる制御チャネル要素の数ｍ、時間領域内で制御チャネル要素に含まれるシンボルの数、および周波数領域内で制御チャネル要素に含まれるリソースブロックまたはサブキャリアの数を決定することができる。
【００３３】
ある考えられる設計では、第３リソースに含まれるｍ個の制御チャネル要素は、時間領域優先方式または周波数領域優先方式で、最も小さなシーケンス番号を有するサブチャネルにマッピングされる。サイドリンク制御情報は、時間領域優先方式で、すなわち、時間領域シンボルが小さい順に、あるシンボルを完全に占有してから次のシンボルを占有するように配置されて、サイドリンク情報に含まれる制御チャネル要素を配置する。代替的に、サイドリンク制御情報は、周波数領域優先方式で、すなわち、周波数領域リソースシーケンス番号が小さい順に、あるリソースブロックを完全に占有してから次のリソースブロックを占有するように配置されて、サイドリンク情報に含まれる制御チャネル要素を配置する。従って、サイドリンク制御情報を構成する柔軟性を更に向上させることができる。
【００３４】
第４態様によれば、ネットワークデバイスが提供される。ネットワークデバイスは、第１通信デバイスに第１指示情報を送信するように構成される送信ユニットであって、第１指示情報は第１リソースを示し、第１リソースは、サイドリンク情報を伝送するために使用されるリソースセットであり、サイドリンク情報はサイドリンク制御情報およびサイドリンクデータを含み、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に、第１リソース内にあり、かつ、サイドリンク制御情報を伝送するために使用される、リソースの時間領域リソースおよび周波数領域リソースにより満たされる第１対応関係を取得するために使用される、送信ユニットを含む。送信ユニットは更に、第１通信デバイスに第１制御情報を送信するように構成され、第１制御情報は第２リソースを示し、第２リソースは第１リソースに属し、第２リソースは第３リソースおよび第４リソースを含み、第３リソースは、第２通信デバイスにサイドリンク制御情報を送信するために第１通信デバイスにより使用され、第３リソースは時間領域内に少なくとも１つのシンボルを、周波数領域内に少なくとも１つのリソースブロックを含み、第３リソースは第１対応関係を満たし、第４リソースは、サイドリンク制御情報に基づいて第２通信デバイスにサイドリンクデータを送信するために第１通信デバイスにより使用される。
【００３５】
本願のこの実施形態によれば、ネットワークデバイスは、第１通信デバイスの第１リソースを構成し、第１対応関係に基づいて第１リソースの第２リソース上に第３リソースおよび第４リソースを柔軟に構成し、その結果、サイドリンク制御情報およびサイドリンクデータを伝送するために使用される時間領域リソースおよび周波数領域リソースを柔軟に構成する。
【００３６】
ある考えられる設計では、第１対応関係は第１関係テーブルに属し、第１指示情報は第１関係テーブルを含むか、または第１関係テーブルは事前定義された関係テーブルであり、第１関係テーブルは、時間領域内で第３リソースにより占有されるシンボルの数と、周波数領域内で第３リソースにより占有されるリソースブロックの数との間の少なくとも１つの対応関係を含む。このように、第１関係テーブル内の複数の対応関係において第１対応関係を決定することにより、サイドリンク制御情報の伝送用のリソースを構成する柔軟性を更に向上させることができる。
【００３７】
ある考えられる設計では、周波数領域内で第３リソースにより占有されるリソースブロックの数は、サブチャネルに含まれるリソースブロックの数と同じであり、第３リソースは、周波数領域内で第２リソースにより占有される少なくとも１つのサブチャネルの中で最も小さなシーケンス番号を有するサブチャネル上に位置付けられる。周波数領域内で第３リソースにより占有されるリソースブロックの数は、サブチャネルに含まれるリソースブロックの数と同じであるため、サイドリンク制御情報構成の互換性が向上する。
【００３８】
ある考えられる設計では、第１指示情報は、時間領域内で第３リソースにより占有されるシンボルの数、および、周波数領域内で第３リソースにより占有されるリソースブロックの数のうちの少なくとも一方を含む。従って、第１対応関係は、第１関係テーブルと、時間領域内で第３リソースにより占有されるシンボルの数、または周波数領域内で第３リソースにより占有されるリソースブロックの数とに基づいて決定され得る。代替的に、第１対応関係は、時間領域内で第３リソースにより占有されるシンボルの数と、周波数領域内で第３リソースにより占有されるリソースブロックの数とに基づいて決定され得る。代替的に、第１対応関係は、時間領域内で第３リソースにより占有されるシンボルの数と、サブチャネルに含まれるリソースブロックの数とに基づいて決定され得る。従って、第３リソースは第２リソース内に構成される。
【００３９】
ある考えられる設計では、第３リソースはｍ個の制御チャネル要素を含み、ｍは１より大きいか１に等しい整数であり、制御チャネル要素は時間領域内に少なくとも１つのシンボルを、周波数領域内に少なくとも１つのリソースブロックまたはサブキャリアを含む。従って、第３リソースは制御チャネル要素を含み得る。
【００４０】
ある考えられる設計では、第１指示情報が更に、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つを示す、または、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つが、事前定義された情報である。従って、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数を決定することができる。
【００４１】
ある考えられる設計では、第３リソースに含まれるｍ個の制御チャネル要素は、時間領域優先方式または周波数領域優先方式で、第２リソースに含まれる最も小さなシーケンス番号を有するサブチャネルにマッピングされる。サイドリンク制御情報は、時間領域優先方式で、すなわち、時間領域シンボルが小さい順に、あるシンボルを完全に占有してから次のシンボルを占有するように配置されて、サイドリンク情報に含まれる制御チャネル要素を配置する。代替的に、サイドリンク制御情報は、周波数領域優先方式で、すなわち、周波数領域リソースシーケンス番号が小さい順に、あるリソースブロックを完全に占有してから次のリソースブロックを占有するように配置されて、サイドリンク情報に含まれる制御チャネル要素を配置する。従って、サイドリンク制御情報を構成する柔軟性を更に向上させることができる。
【００４２】
第５態様によれば、第１通信デバイスが提供される。第１通信デバイスは、第３リソース上で第２通信デバイスにサイドリンク制御情報を送信するように構成される送信ユニットであって、第３リソースは時間領域内に少なくとも１つのシンボルを、周波数領域内に少なくとも１つのリソースブロックを含む、送信ユニットを含む。送信ユニットは更に、第４リソース上でサイドリンク制御情報に基づいて第２通信デバイスにサイドリンクデータを送信するように構成され、第４リソースは時間領域内に少なくとも１つのシンボルを、周波数領域内に少なくとも１つのリソースブロックを含む。
【００４３】
本願のこの実施形態によれば、第１通信デバイスは、柔軟に構成される第３リソースおよび第４リソース上で、第２通信デバイスにサイドリンク制御情報およびサイドリンクデータをそれぞれ送信する。
【００４４】
ある考えられる設計では、第１通信デバイスは更に受信ユニットを含む。受信ユニットは、ネットワークデバイスから第１指示情報を受信するように構成され、第１指示情報は第１リソースを示し、第１リソースは、サイドリンク情報を伝送するために使用されるリソースセットであり、サイドリンク情報はサイドリンク制御情報およびサイドリンクデータを含み、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に、第１リソース内にあり、かつ、サイドリンク制御情報を伝送するために使用される、リソースの時間領域リソースおよび周波数領域リソースにより満たされる第１対応関係を取得するために使用される。受信ユニットは更に、ネットワークデバイスから第１制御情報を受信するように構成され、第１制御情報は第２リソースを示し、第２リソースは第１リソースに属し、第２リソースは第３リソースおよび第４リソースを含み、第３リソースは第１対応関係を満たす。従って、第１通信デバイスは第１リソースを取得し、第１対応関係に基づいて第１リソースの第２リソース上で第３リソースおよび第４リソースを取得し、その結果、サイドリンク制御情報およびサイドリンクデータを伝送するために使用される時間領域リソースおよび周波数領域リソースを柔軟に構成する。
【００４５】
ある考えられる設計では、第１対応関係は第１関係テーブルに属し、第１指示情報は第１関係テーブルを含むか、または第１関係テーブルは事前定義された関係テーブルであり、第１関係テーブルは、時間領域内で第３リソースにより占有されるシンボルの数と、周波数領域内で第３リソースにより占有されるリソースブロックの数との間の少なくとも１つの対応関係を含む。このように、第１関係テーブル内の複数の対応関係において第１対応関係を決定することにより、サイドリンク制御情報の伝送用のリソースを構成する柔軟性を更に向上させることができる。
【００４６】
ある考えられる設計では、周波数領域内で第３リソースにより占有されるリソースブロックの数は、サブチャネルに含まれるリソースブロックの数と同じであり、第３リソースは、周波数領域内で第２リソースにより占有される少なくとも１つのサブチャネルの中で最も小さなシーケンス番号を有するサブチャネル上に位置付けられる。周波数領域内で第３リソースにより占有されるリソースブロックの数は、サブチャネルに含まれるリソースブロックの数と同じであるため、サイドリンク制御情報構成の互換性が向上する。
【００４７】
ある考えられる設計では、第１指示情報は、時間領域内で第３リソースにより占有されるシンボルの数、および、周波数領域内で第３リソースにより占有されるリソースブロックの数のうちの少なくとも一方を含む。従って、第１対応関係は、第１関係テーブルと、時間領域内で第３リソースにより占有されるシンボルの数、または周波数領域内で第３リソースにより占有されるリソースブロックの数とに基づいて決定され得る。代替的に、第１対応関係は、時間領域内で第３リソースにより占有されるシンボルの数と、周波数領域内で第３リソースにより占有されるリソースブロックの数とに基づいて決定され得る。代替的に、第１対応関係は、時間領域内で第３リソースにより占有されるシンボルの数と、サブチャネルに含まれるリソースブロックの数とに基づいて決定され得る。従って、第３リソースは第２リソースから取得される。
【００４８】
ある考えられる設計では、第１通信デバイスは更に処理ユニットを含む。処理ユニットは、第５リソースから第２リソースを選択するように構成され、第２リソースは第３リソースおよび第４リソースを含み、第５リソースは、サイドリンク情報を伝送するために使用される事前定義されたリソースセットであり、サイドリンク情報はサイドリンク制御情報およびサイドリンクデータを含み、第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第５リソース内にあり、かつ、サイドリンク制御情報を伝送するために使用される、リソースの時間領域リソースおよび周波数領域リソースが、事前定義された第１対応関係を満たし、第３リソースは第１対応関係を満たす。従って、事前定義された第５リソースを取得することができ、第３リソースおよび第４リソースを、事前定義された第１対応関係に基づいて、第５リソースから独立して選択される第２リソース上で取得し、その結果、サイドリンク制御情報およびサイドリンクデータを伝送するために使用される時間領域リソースおよび周波数領域リソースを柔軟に構成することができる。
【００４９】
ある考えられる設計では、第３リソースはｍ個の制御チャネル要素を含み、ｍは１より大きいか１に等しい整数であり、制御チャネル要素は時間領域内に少なくとも１つのシンボルを、周波数領域内に少なくとも１つのリソースブロックまたはサブキャリアを含む。
【００５０】
ある考えられる設計では、第１指示情報が更に、制御チャネル要素の数ｍ、時間領域内で制御チャネル要素に含まれるシンボルの数、周波数領域内で制御チャネル要素に含まれるリソースブロックまたはサブキャリアの数のうちの少なくとも１つを示す、または、制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つが事前定義され得る。従って、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数を決定することができる。
【００５１】
ある考えられる設計では、第３リソースに含まれるｍ個の制御チャネル要素は、時間領域優先方式または周波数領域優先方式で、第２リソースに含まれる最も小さなシーケンス番号を有するサブチャネルにマッピングされる。サイドリンク制御情報は、時間領域優先方式で、すなわち、時間領域シンボルが小さい順に、あるシンボルを完全に占有してから次のシンボルを占有するように配置されて、サイドリンク情報に含まれる制御チャネル要素を配置する。代替的に、サイドリンク制御情報は、周波数領域優先方式で、すなわち、周波数領域リソースシーケンス番号が小さい順に、あるリソースブロックを完全に占有してから次のリソースブロックを占有するように配置されて、サイドリンク情報に含まれる制御チャネル要素を配置する。従って、サイドリンク制御情報を構成する柔軟性を更に向上させることができる。
【００５２】
第６態様によれば、第２通信デバイスが提供される。第２通信デバイスは、第３リソース上で第１通信デバイスからサイドリンク制御情報を受信するように構成される受信ユニットであって、第３リソースは時間領域内に少なくとも１つのシンボルを、周波数領域内に少なくとも１つのリソースブロックを含む、受信ユニットを含む。受信ユニットは更に、第４リソース上でサイドリンク制御情報に基づいて第１通信デバイスからサイドリンクデータを受信するように構成され、第４リソースは時間領域内に少なくとも１つのシンボルを、周波数領域内に少なくとも１つのリソースブロックを含む。
【００５３】
従って、第２通信デバイスは、柔軟に構成される第３リソースおよび第４リソース上で、第１通信デバイスからサイドリンク制御情報およびサイドリンクデータをそれぞれ受信する。
【００５４】
ある考えられる設計では、受信ユニットは更に、ネットワークデバイスから第１指示情報を受信するように構成され、第１指示情報は第１リソースを示し、第１リソースは、サイドリンク情報を伝送するために使用されるリソースセットであり、サイドリンク情報はサイドリンク制御情報およびサイドリンクデータを含み、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に、第１リソース内にあり、かつ、サイドリンク制御情報を伝送するために使用される、リソースの時間領域リソースおよび周波数領域リソースにより満たされる第１対応関係を取得するために使用される。
【００５５】
ある考えられる設計では、第１対応関係は第１関係テーブルに属し、第１指示情報は第１関係テーブルを含むか、または第１関係テーブルは事前定義された関係テーブルであり、第１関係テーブルは、サイドリンク制御情報を伝送するために使用されるリソースにより占有されるシンボルの数と、サイドリンク制御情報を伝送するために使用されるリソースにより周波数領域内で占有されるリソースブロックの数との間の少なくとも１つの対応関係を含む。このように、第１関係テーブル内の複数の対応関係において第１対応関係を決定することにより、サイドリンク制御情報の伝送用のリソースを構成する柔軟性を更に向上させることができる。
【００５６】
ある考えられる設計では、サイドリンク制御情報を伝送するために使用されるリソースにより周波数領域内で占有されるリソースブロックの数は、サブチャネルに含まれるリソースブロックの数と同じであり、サイドリンク制御情報を伝送するために使用されるリソースは、周波数領域内で第２リソースにより占有される少なくとも１つのサブチャネルの中で最も小さなシーケンス番号を有するサブチャネル上に位置付けられる。サイドリンク制御情報を伝送するために使用されるリソースにより周波数領域内で占有されるリソースブロックの数は、サブチャネルに含まれるリソースブロックの数と同じであるため、サイドリンク制御情報構成の互換性が向上する。
【００５７】
ある考えられる設計では、第１指示情報は、サイドリンク制御情報を伝送するために使用されるリソースにより時間領域内で占有されるシンボルの数、および、サイドリンク制御情報を伝送するために使用されるリソースにより周波数領域内で占有されるリソースブロックの数のうちの少なくとも一方を含む。従って、第１対応関係は、第１関係テーブルと、サイドリンク制御情報を伝送するために使用されるリソースにより時間領域内で占有されるシンボルの数、またはサイドリンク制御情報を伝送するために使用されるリソースにより周波数領域内で占有されるリソースブロックの数とに基づいて決定され得る。代替的に、第１対応関係は、サイドリンク制御情報を伝送するために使用されるリソースにより時間領域内で占有されるシンボルの数と、サイドリンク制御情報を伝送するために使用されるリソースにより周波数領域内で占有されるリソースブロックの数とに基づいて決定され得る。代替的に、第１対応関係は、サイドリンク制御情報を伝送するために使用されるリソースにより時間領域内で占有されるシンボルの数と、サブチャネルに含まれるリソースブロックの数とに基づいて決定され得る。
【００５８】
ある考えられる設計では、第２通信デバイスは第５リソースを取得し、第５リソースは、サイドリンク情報を伝送するために使用される事前定義されたリソースセットであり、サイドリンク情報はサイドリンク制御情報およびサイドリンクデータを含み、第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第５リソース内にあり、かつ、サイドリンク制御情報を伝送するために使用される、リソースの時間領域リソースおよび周波数領域リソースが、事前定義された第１対応関係を満たし、サイドリンク制御情報を伝送するために使用されるリソースは、第１対応関係を満たす。従って、事前定義された第５リソースを取得することができる。
【００５９】
ある考えられる設計では、サイドリンク制御情報を伝送するために使用されるリソースはｍ個の制御チャネル要素を含み、ｍは１より大きいか１に等しい整数であり、制御チャネル要素は時間領域内に少なくとも１つのシンボルを、周波数領域内に少なくとも１つのリソースブロックまたはサブキャリアを含む。
【００６０】
ある考えられる設計では、第１指示情報が更に、制御チャネル要素の数ｍ、時間領域内で制御チャネル要素に含まれるシンボルの数、周波数領域内で制御チャネル要素に含まれるリソースブロックまたはサブキャリアの数のうちの少なくとも１つを示す、または、制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つが事前定義され得る。従って、サイドリンク制御情報を伝送するために使用されるリソースに含まれる制御チャネル要素の数ｍ、時間領域内で制御チャネル要素に含まれるシンボルの数、および周波数領域内で制御チャネル要素に含まれるリソースブロックまたはサブキャリアの数を決定することができる。
【００６１】
ある考えられる設計では、第３リソースに含まれるｍ個の制御チャネル要素は、時間領域優先方式または周波数領域優先方式で、最も小さなシーケンス番号を有するサブチャネルにマッピングされる。サイドリンク制御情報は、時間領域優先方式で、すなわち、時間領域シンボルが小さい順に、あるシンボルを完全に占有してから次のシンボルを占有するように配置されて、サイドリンク情報に含まれる制御チャネル要素を配置する。代替的に、サイドリンク制御情報は、周波数領域優先方式で、すなわち、周波数領域リソースシーケンス番号が小さい順に、あるリソースブロックを完全に占有してから次のリソースブロックを占有するように配置されて、サイドリンク情報に含まれる制御チャネル要素を配置する。従って、サイドリンク制御情報を構成する柔軟性を更に向上させることができる。
【００６２】
第７態様によれば、サイドリンク情報の伝送方法が提供される。方法はネットワークデバイスまたはネットワークデバイスのチップにより実行されてよく、ネットワークデバイスが第１通信デバイスに第１指示情報を送信する段階であって、第１指示情報は第１リソースを示し、第１リソースは、サイドリンク情報を伝送するために使用されるリソースセットであり、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に第６リソースまたは第７リソースのうちの少なくとも一方を示し、第１リソースは第６リソースおよび第７リソースを含み、第６リソースは、サイドリンク制御情報を伝送するために使用されるリソースセットであり、第７リソースは、サイドリンクデータを伝送するために使用されるリソースセットである、段階と、ネットワークデバイスが第１通信デバイスに第１制御情報を送信する段階であって、第１制御情報は第３リソースまたは第４リソースのうちの少なくとも一方を示し、第３リソースは第６リソースに属し、第３リソースは、第２通信デバイスにサイドリンク制御情報を送信するために第１通信デバイスにより使用され、第３リソースは時間領域内に少なくとも１つのシンボルを、周波数領域内に少なくとも１つのリソースブロックを含む、受信ユニットを含み、第４リソースは第７リソースに属し、第４リソースは、サイドリンク制御情報に基づいて第２通信デバイスにサイドリンクデータを送信するために第１通信デバイスにより使用され、第４リソースは時間領域内に少なくとも１つのシンボルを、周波数領域内に少なくとも１つのリソースブロックを含む、段階とを含む。
【００６３】
第８態様によれば、サイドリンク情報の伝送方法が提供される。方法は第１通信デバイスまたは第１通信デバイスのチップにより実行されてよく、第１通信デバイスが第３リソース上で第２通信デバイスにサイドリンク制御情報を送信する段階であって、第３リソースは時間領域内に少なくとも１つのシンボルを、周波数領域内に少なくとも１つのリソースブロックを含む、段階と、第１通信デバイスが第４リソース上でサイドリンク制御情報に基づいて第２通信デバイスにサイドリンクデータを送信する段階であって、第４リソースは時間領域内に少なくとも１つのシンボルを、周波数領域内に少なくとも１つのリソースブロックを含む、段階とを含む。
【００６４】
ある考えられる設計では、第１通信デバイスはネットワークデバイスから第１指示情報を受信し、第１指示情報は第１リソースを示し、第１リソースは、サイドリンク情報を伝送するために使用されるリソースセットであり、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に第６リソースまたは第７リソースのうちの少なくとも一方を示し、第１リソースは第６リソースおよび第７リソースを含み、第６リソースは、サイドリンク制御情報を伝送するために使用されるリソースセットであり、第７リソースは、サイドリンクデータを伝送するために使用されるリソースセットである。第１通信デバイスはネットワークデバイスから第１制御情報を受信し、第１制御情報は第３リソースまたは第４リソースのうちの少なくとも一方を示し、第３リソースは第６リソースに属し、第３リソースは、第２通信デバイスにサイドリンク制御情報を送信するために第１通信デバイスにより使用され、第３リソースは時間領域内に少なくとも１つのシンボルを、周波数領域内に少なくとも１つのリソースブロックを含み、第４リソースは第７リソースに属し、第４リソースは、サイドリンク制御情報に基づいて第２通信デバイスにサイドリンクデータを送信するために第１通信デバイスにより使用され、第４リソースは時間領域内に少なくとも１つのシンボルを、周波数領域内に少なくとも１つのリソースブロックを含む。
【００６５】
ある考えられる設計では、第１通信デバイスは第６リソースから第３リソースを選択し、第７リソースから第４リソースを選択し、第６リソースおよび第７リソースは第５リソースに属し、第５リソースは、サイドリンク情報を伝送するために使用される事前定義されたリソースセットである。第６リソースは、サイドリンク制御情報を伝送するために使用される事前定義されたリソースセットであり、第７リソースは、サイドリンクデータを伝送するために使用される事前定義されたリソースセットである。第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含む。
【００６６】
第９態様によれば、サイドリンク情報の伝送方法が提供される。方法は第２通信デバイスまたは第２通信デバイスのチップにより実行されてよく、第２通信デバイスが第３リソース上で第１通信デバイスからサイドリンク制御情報を受信する段階であって、第３リソースは時間領域内に少なくとも１つのシンボルを、周波数領域内に少なくとも１つのリソースブロックを含む、段階と、第２通信デバイスが第４リソース上でサイドリンク制御情報に基づいて第１通信デバイスからサイドリンクデータを受信する段階であって、第４リソースは時間領域内に少なくとも１つのシンボルを、周波数領域内に少なくとも１つのリソースブロックを含む、段階とを含む。
【００６７】
ある考えられる設計では、第２通信デバイスはネットワークデバイスから第１指示情報を受信し、第１指示情報は第１リソースを示し、第１リソースは、サイドリンク情報を伝送するために使用されるリソースセットであり、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に第６リソースまたは第７リソースのうちの少なくとも一方を示し、第１リソースは第６リソースおよび第７リソースを含み、第６リソースは、サイドリンク制御情報を伝送するために使用されるリソースセットであり、第７リソースは、サイドリンクデータを伝送するために使用されるリソースセットである。
【００６８】
ある考えられる設計では、第２通信デバイスは第６リソースおよび第７リソースを取得し、第６リソースおよび第７リソースは第５リソースに属し、第５リソースは、サイドリンク情報を伝送するために使用される事前定義されたリソースセットである。第６リソースは、サイドリンク制御情報を伝送するために使用される事前定義されたリソースセットであり、第７リソースは、サイドリンクデータを伝送するために使用される事前定義されたリソースセットである。第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含む。
【００６９】
第１０態様によれば、ネットワークデバイスが提供される。ネットワークデバイスは、第１通信デバイスに第１指示情報を送信するように構成される送信ユニットであって、第１指示情報は第１リソースを示し、第１リソースは、サイドリンク情報を伝送するために使用されるリソースセットであり、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に第６リソースまたは第７リソースのうちの少なくとも一方を示し、第１リソースは第６リソースおよび第７リソースを含み、第６リソースは、サイドリンク制御情報を伝送するために使用されるリソースセットであり、第７リソースは、サイドリンクデータを伝送するために使用されるリソースセットである、送信ユニットを含む。送信ユニットは更に、第１通信デバイスに第１制御情報を送信するように構成され、第１制御情報は第３リソースまたは第４リソースのうちの少なくとも一方を示し、第３リソースは第６リソースに属し、第３リソースは、第２通信デバイスにサイドリンク制御情報を送信するために第１通信デバイスにより使用され、第３リソースは時間領域内に少なくとも１つのシンボルを、周波数領域内に少なくとも１つのリソースブロックを含む、受信ユニットを含み、第４リソースは第７リソースに属し、第４リソースは、サイドリンク制御情報に基づいて第２通信デバイスにサイドリンクデータを送信するために第１通信デバイスにより使用され、第４リソースは時間領域内に少なくとも１つのシンボルを、周波数領域内に少なくとも１つのリソースブロックを含む。
【００７０】
第１１態様によれば、第１通信デバイスが提供される。第１通信デバイスは、第３リソース上で第２通信デバイスにサイドリンク制御情報を送信するように構成される送信ユニットであって、第３リソースは時間領域内に少なくとも１つのシンボルを、周波数領域内に少なくとも１つのリソースブロックを含む、送信ユニットを含む。送信ユニットは更に、第４リソース上でサイドリンク制御情報に基づいて第２通信デバイスにサイドリンクデータを送信するように構成され、第４リソースは時間領域内に少なくとも１つのシンボルを、周波数領域内に少なくとも１つのリソースブロックを含む。
【００７１】
ある考えられる設計では、第１通信デバイスは更に受信ユニットを含む。受信ユニットは、ネットワークデバイスから第１指示情報を受信するように構成され、第１指示情報は第１リソースを示し、第１リソースは、サイドリンク情報を伝送するために使用されるリソースセットであり、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に第６リソースまたは第７リソースのうちの少なくとも一方を示し、第１リソースは第６リソースおよび第７リソースを含み、第６リソースは、サイドリンク制御情報を伝送するために使用されるリソースセットであり、第７リソースは、サイドリンクデータを伝送するために使用されるリソースセットである。受信ユニットは更に、ネットワークデバイスから第１制御情報を受信するように構成され、第１制御情報は第３リソースまたは第４リソースのうちの少なくとも一方を示し、第３リソースは第６リソースに属し、第３リソースは、第２通信デバイスにサイドリンク制御情報を送信するために第１通信デバイスにより使用され、第３リソースは時間領域内に少なくとも１つのシンボルを、周波数領域内に少なくとも１つのリソースブロックを含み、第４リソースは第７リソースに属し、第４リソースは、サイドリンク制御情報に基づいて第２通信デバイスにサイドリンクデータを送信するために第１通信デバイスにより使用され、第４リソースは時間領域内に少なくとも１つのシンボルを、周波数領域内に少なくとも１つのリソースブロックを含む。
【００７２】
ある考えられる設計では、第１通信デバイスは更に処理ユニットを含む。処理ユニットは、第６リソースから第３リソースを選択するように構成され、第７リソースから第４リソースを選択し、第６リソースおよび第７リソースは第５リソースに属し、第５リソースは、サイドリンク情報を伝送するために使用される事前定義されたリソースセットである。第６リソースは、サイドリンク制御情報を伝送するために使用される事前定義されたリソースセットであり、第７リソースは、サイドリンクデータを伝送するために使用される事前定義されたリソースセットである。第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含む。
【００７３】
第１２態様によれば、第２通信デバイスが提供される。第２通信デバイスは、第３リソース上で第１通信デバイスからサイドリンク制御情報を受信するように構成される受信ユニットであって、第３リソースは時間領域内に少なくとも１つのシンボルを、周波数領域内に少なくとも１つのリソースブロックを含む、受信ユニットを含む。受信ユニットは更に、第４リソース上でサイドリンク制御情報に基づいて第１通信デバイスからサイドリンクデータを受信するように構成され、第４リソースは時間領域内に少なくとも１つのシンボルを、周波数領域内に少なくとも１つのリソースブロックを含む。
【００７４】
ある考えられる設計では、受信ユニットは更に、ネットワークデバイスから第１指示情報を受信するように構成され、第１指示情報は第１リソースを示し、第１リソースは、サイドリンク情報を伝送するために使用されるリソースセットであり、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に第６リソースまたは第７リソースのうちの少なくとも一方を示し、第１リソースは第６リソースおよび第７リソースを含み、第６リソースは、サイドリンク制御情報を伝送するために使用されるリソースセットであり、第７リソースは、サイドリンクデータを伝送するために使用されるリソースセットである。
【００７５】
ある考えられる設計では、第２通信デバイスは第６リソースおよび第７リソースを取得し、第６リソースおよび第７リソースは第５リソースに属し、第５リソースは、サイドリンク情報を伝送するために使用される事前定義されたリソースセットである。第６リソースは、サイドリンク制御情報を伝送するために使用される事前定義されたリソースセットであり、第７リソースは、サイドリンクデータを伝送するために使用される事前定義されたリソースセットである。第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含む。
【００７６】
第１３態様によれば、本願のある実施形態は、上述の態様に係る方法を実行するように構成されるチップを提供する。チップは、メモリ、プロセッサ、送信器、受信器、および／または送受信器の機能を有する部品を含んでよく、メモリは、上述の態様に係る方法を実行するための命令、コード、および／またはデータを記憶する。
【００７７】
第１４態様によれば、本願のある実施形態はコンピュータ可読記憶媒体を提供する。コンピュータ可読記憶媒体は命令を記憶し、命令がコンピュータ上で実行されると、コンピュータは、前述の態様のいずれか１つに係る方法を実行することができる。
【００７８】
第１５態様によれば、本願のある実施形態はコンピュータプログラム製品を提供する。プログラム製品は、第１通信デバイスまたは第２通信デバイスにより使用されるコンピュータソフトウェア命令を記憶し、コンピュータソフトウェア命令は、上述の態様に係る解決策を実行するために使用されるプログラムを含む。
【００７９】
第１６態様によれば、本願のある実施形態はシステムを提供する。システムは、上述の態様に係る第１通信デバイスおよび第２通信デバイスを含む。システムは更にネットワークデバイスを含み得る。
【図面の簡単な説明】
【００８０】
【図１】本願のある実施形態に係るシステムの概略的なアーキテクチャ図である。
【００８１】
【図２】本願のある実施形態に係る第１通信デバイスを示す。
【００８２】
【図３】本願のある実施形態に係る第２通信デバイスを示す。
【００８３】
【図４】本願のある実施形態に係るネットワークデバイスを示す。
【００８４】
【図５】本願のある実施形態に係る、サイドリンク制御情報およびサイドリンクデータを伝送するための方法、第１通信デバイス、第２通信デバイス、およびシステムを示す。
【００８５】
【図６】本願のある実施形態に係る、サイドリンク情報リソースを構成するための方法、ネットワークデバイス、第１通信デバイス、第２通信デバイス、およびシステムを示す。
【００８６】
【図７】本願のある実施形態に係る、サイドリンク情報リソースを構成するための方法、第１通信デバイス、第２通信デバイス、およびシステムを示す。
【００８７】
【図８】本願のある実施形態に係るリソース構成の概略図である。
【００８８】
【図９】本願のある実施形態に係るリソース構成の概略図である。
【００８９】
【図１０】本願のある実施形態に係るリソースプール構成の概略図である。
【００９０】
【図１１】本願のある実施形態に係るリソース構成の概略図である。
【発明を実施するための形態】
【００９１】
図１は、本願発明のある実施形態に係る考えられるＶ２Ｘ通信システムの概略的なアーキテクチャ図である。図１に示すように、Ｖ２Ｘ通信システムは、第１通信デバイス１１および第２通信デバイス１２を含む。Ｖ２Ｘで伝送されるサイドリンク情報は、第１通信デバイス１１および第２通信デバイス１２により伝送されるサイドリンク制御情報およびサイドリンクデータを含む。第１通信デバイス１１および第２通信デバイス１２がネットワークデバイスのカバレッジ内にある場合は、サイドリンク情報の伝送に使用されるリソースがネットワークデバイスにより構成され得る。第１通信デバイス１１および第２通信デバイス１２がネットワークデバイスのカバレッジ内にない場合は、サイドリンク情報の伝送に使用されるリソースは第１通信デバイス１１により独立して選択され得る。
【００９２】
本願では、１または複数の「第２通信デバイス」が存在し得る。複数の第２通信デバイスが存在する場合は、第１通信デバイス１１は、これら複数の第２通信デバイスを用いてサイドリンク情報の伝送を実行する。説明し易くするために、本願発明では、説明のための例として１つの第２通信デバイスが使用される。ただし、本願発明に含まれる第２通信デバイスの数は、限定されるわけではないが、これを含む。
【００９３】
本願のネットワークデバイスは、無線アクセスネットワーク内に展開され、かつ、第１通信デバイスおよび第２通信デバイスに無線通信機能を提供するように構成される、装置である。ネットワークデバイスは、基地局（Ｂａｓｅ  Ｓｔａｔｉｏｎ、ＢＳ）、例えば、マクロ基地局、マイクロ基地局、中継局、またはアクセスポイントであってもよいし、別の形態のデバイス、例えば、街灯または路側ユニット（Ｒｏａｄ  Ｓｉｄｅ  Ｕｎｉｔ、ＲＳＵ）であってもよい。異なる無線アクセス技術を使用するシステムでは、ネットワークデバイス機能を有するデバイスの呼び方が異なる場合がある。例えば、第５世代５Ｇネットワークでは、デバイスがネットワークデバイスまたは基地局である、ロングタームエボリューション（Ｌｏｎｇ  Ｔｅｒｍ  Ｅｖｏｌｕｔｉｏｎ、ＬＴＥ）ネットワークでは、デバイスが進化型ノードＢ（ｅｖｏｌｖｅｄ  ＮｏｄｅＢ、略して、ｅＮＢまたはｅＮｏｄｅＢ）と呼ばれる、または、第３世代３Ｇネットワークでは、デバイスがノードＢ（ＮｏｄｅＢ）と呼ばれるなどである。あるいは、デバイスはＶ２Ｘ通信におけるＲＳＵ、または、ネットワークデバイスまたは基地局におけるチップまたはシステムオンチップ（Ｓｙｓｔｅｍ  ｏｎ  Ｃｈｉｐ、ＳＯＣ）である。説明し易くするために、本願では、第１通信デバイスおよび第２通信デバイスに無線通信機能を提供する前述の装置をネットワークデバイスと総称する。
【００９４】
本願の第１通信デバイスおよび第２通信デバイスは、無線通信機能を有する様々なデバイス、または、これらのデバイス内のユニット、コンポーネント、装置、チップ、もしくはＳｏＣを含み得る。無線通信機能を有するデバイスは、例えば、車載デバイス、ウェアラブルデバイス、コンピューティングデバイス、または、無線モデム、移動局（Ｍｏｂｉｌｅ  ｓｔａｔｉｏｎ、ＭＳ）、端末（ｔｅｒｍｉｎａｌ）、またはユーザ機器（Ｕｓｅｒ  Ｅｑｕｉｐｍｅｎｔ、ＵＥ）に接続される別のデバイスであってよい。
【００９５】
ソフトウェア、ハードウェア、ファームウェア、またはこれらの任意の組み合わせを使用することにより、本願の全てまたは一部が実装され得る。これらの実施形態を実装するためにソフトウェアが使用される場合は、当該実施形態は、コンピュータプログラム製品の形態で完全にまたは部分的に実装され得る。コンピュータプログラム製品は、１または複数のコンピュータ命令を含む。コンピュータプログラム命令がコンピュータ上でロードおよび実行されると、本願発明の複数の実施形態に係る手順または機能が全てまたは部分的に生成される。コンピュータは、汎用コンピュータ、専用コンピュータ、コンピュータネットワーク、または他のプログラマブル装置であってよい。コンピュータ命令はコンピュータ可読記憶媒体に記憶されてもよいし、あるコンピュータ可読記憶媒体から別のコンピュータ可読記憶媒体に伝送されてもよい。例えば、コンピュータ命令は、有線（例えば、同軸ケーブル、光ファイバ、またはデジタル加入者線（ＤＳＬ））または無線（例えば、赤外線、電波、またはマイクロ波）の方式で、あるウェブサイト、コンピュータ、サーバ、またはデータセンタから別のウェブサイト、コンピュータ、サーバ、またはデータセンタに伝送されてよい。コンピュータ可読記憶媒体は、コンピュータからアクセス可能な任意の使用可能な媒体、または、１または複数の使用可能な媒体を統合する、サーバまたはデータセンタなどのデータ記憶デバイスであってよい。使用可能な媒体は、磁気媒体（例えば、フロッピーディスク、ハードディスク、または磁気テープ）、光媒体（例えば、ＤＶＤ）、または半導体媒質（例えば、ソリッドステートドライブ（Ｓｏｌｉｄ  Ｓｔａｔｅ  Ｄｉｓｋ、ＳＳＤ））などであってよい。
【００９６】
以下では、第１通信デバイスおよび第２通信デバイスを例として使用することにより、特定の例を参照しながら本願の複数の実施形態についてより詳細に説明する。
【００９７】
図５は、本願のある実施形態に係る、サイドリンク情報を伝送するための方法、第１通信デバイス、第２通信デバイス、ネットワークデバイス、およびシステムを示す。図２に示すように、第１通信デバイスが、送信ユニット２１、処理ユニット２２、および受信ユニット２３を含む。送信ユニット２１および受信ユニット２３は送受信ユニットと置換され得る。図３に示すように、第２通信デバイスが受信ユニット３３を含み、送信ユニット３１および処理ユニット３２を更に含み得る。送信ユニット３１および受信ユニット３３は送受信ユニットと置換され得る。図４に示すように、ネットワークデバイスが送信ユニット４１を含み、処理ユニット４２および受信ユニット４３を更に含み得る。送信ユニット４１および受信ユニット４３は送受信ユニットと置換され得る。
【００９８】
第１通信デバイスおよび第２通信デバイスが端末デバイスまたはユーザ機器である場合、および、ネットワークデバイスが基地局である場合は、処理ユニット２２から処理ユニット４２はプロセッサであってよく、送信ユニット２１から送信ユニット４１および受信ユニット２３から受信ユニット４３は送受信器であってよく、送信ユニット２１から送信ユニット４１は送信器であってよく、受信ユニット２３から受信ユニット４３は受信器であってよい。送受信器、送信器、または受信器は、無線周波数回路であってよい。第１通信デバイス、第２通信デバイス、またはネットワークデバイスが記憶ユニットを含む場合は、記憶ユニットは、コンピュータ命令を記憶するように構成される。プロセッサは記憶ユニットと通信接続しており、プロセッサは、メモリ内に記憶されるコンピュータ命令を実行して、第１通信デバイス、第２通信デバイス、またはネットワークデバイスが図５の実施形態における方法を実行できるようにする。プロセッサは、汎用中央処理装置（ＣＰＵ）、マイクロプロセッサ、または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であってよい。
【００９９】
第１通信デバイス、第２通信デバイス、またはネットワークデバイスがチップである場合は、処理ユニット２２から処理ユニット４２は、例えば、プロセッサであってよく、送信ユニット２１から送信ユニット４１は、出力インタフェース、ピン、または回路などであってよく、受信ユニット２３から受信ユニット４３は、入力インタフェース、ピン、または回路などであってよく、送受信ユニットは、例えば、入出力インタフェース、ピン、または回路であってよい。処理ユニットは、記憶ユニット内に記憶されるコンピュータ実行可能命令を実行することができ、その結果、第１通信デバイス、第２通信デバイス、またはネットワークデバイス内のチップが図５の方法を実行する。オプションで、記憶ユニットはチップ内の記憶ユニット、例えば、レジスタまたはバッファである、または、記憶ユニットは、端末内にあるがチップの外側にある記憶ユニット、例えば、リードオンリメモリ（Ｒｅａｄ  Ｏｎｌｙ  Ｍｅｍｏｒｙ、ＲＯＭ）、静的情報および命令を記憶できる別のタイプの静的記憶デバイス、またはランダムアクセスメモリ（Ｒａｎｄｏｍ  Ａｃｃｅｓｓ  Ｍｅｍｏｒｙ、ＲＡＭ）であってよい。
【０１００】
図５の実施形態に含まれる特定の段階は以下の通りである。
【０１０１】
段階５１：第１通信デバイスが第３リソースおよび第４リソースを取得する。図６には、第１通信デバイスおよび第２通信デバイスがネットワークカバレッジ内にある場合、すなわち、Ｖ２Ｘネットワークデバイススケジューリングモード、例えば、モード３で通信している場合に、第１通信デバイスが第３リソースおよび第４リソースを取得する特定の段階が示されている。ネットワークデバイススケジューリングモード３での通信は、基地局によるスケジューリングに基づくＶ２Ｘ通信であり、別の通信デバイスに制御情報およびデータを送信するために第１通信デバイスにより使用されるリソースが基地局により割り当てられる。
【０１０２】
図６の段階６１では、ネットワークデバイスの送信ユニット４１が第１通信デバイスに第１指示情報を送信し、第１通信デバイスの受信ユニット２３がネットワークデバイスから第１指示情報を受信する。第１指示情報は第１リソースを示し、第１リソースは、サイドリンク情報を伝送するために使用されるリソースセットであり、サイドリンク情報はサイドリンク制御情報およびサイドリンクデータを含み、第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第１指示情報は更に、第１リソース内にあり、かつ、サイドリンク制御情報を伝送するために使用される、リソースの時間領域リソースおよび周波数領域リソースにより満たされる第１対応関係を取得するために使用される。ネットワークデバイスの送信ユニット４１は更に、第２通信デバイスに第１指示情報を送信することができる。この実施形態では、第１通信デバイスおよび第２通信デバイスが例として使用されている。実際、ネットワークデバイスの送信ユニットは更に、第１通信デバイスおよび第２通信デバイス以外の別の通信デバイスに第１指示情報を送信することができる。第１指示情報は無線リソース制御（Ｒａｄｉｏ  Ｒｅｓｏｕｒｃｅ  Ｃｏｎｔｒｏｌ、ＲＲＣ）シグナリングであってよく、第１リソースは、ネットワークデバイスにより構成され、かつ、サイドリンク通信に使用される、リソースプールであってよく、サイドリンク通信用のリソースプールは、サイドリンク通信用の時間リソースと周波数リソースとのセットであってよい。第１リソースは時間領域内に少なくとも１つの時間単位を含み、時間単位は、ミニスロット、スロット、およびサブフレームであってよい。第１指示情報は、第１リソース、およびサブチャネルに含まれるリソースブロックの数の両方を示す。
【０１０３】
図６の段階６２では、ネットワークデバイスの送信ユニット４１が第１通信デバイスに第１制御情報を送信し、第１通信デバイスの受信ユニット２３がネットワークデバイスから第１制御情報を受信し、第１制御情報は第２リソースを示し、第２リソースは第１リソースに属し、第２リソースは第３リソースおよび第４リソースを含む。第３リソースは、第２通信デバイスにサイドリンク制御情報を送信するために第１通信デバイスにより使用され、第３リソースは時間領域内に少なくとも１つのシンボルを、周波数領域内に少なくとも１つのリソースブロックを含み、第３リソースは第１対応関係を満たす。第４リソースは、サイドリンク制御情報に基づいて第２通信デバイスにサイドリンクデータを送信するために第１通信デバイスにより使用される。第１制御情報はダウンリンク制御シグナリング（Ｄｏｗｎｌｉｎｋ  Ｃｏｎｔｒｏｌ  Ｉｎｆｏｒｍａｔｉｏｎ、ＤＣＩ）であってよく、第１通信デバイスは、第１制御情報に基づいて、第１リソース、すなわち、サイドリンク通信リソースプールから、第２通信デバイスにサイドリンク情報を送信するために使用される第２リソースを選択し、第１対応関係に基づいて第２リソース内の第３リソースを決定し、第３リソースのサイズに基づいて第２リソース内の第４リソースを決定する。
【０１０４】
段階６１では、第３リソースの時間領域リソースおよび周波数領域リソースにより満たされる第１対応関係は、第１関係テーブルに属することができる。第１指示情報は更に第１関係テーブルを含み得る、または、第１関係テーブルは事前定義された関係テーブルである。第１関係テーブルは、時間領域内で第３リソースにより占有されるシンボルの数と、周波数領域内で第３リソースにより占有されるリソースブロックの数との間の少なくとも１つの対応関係を含む。例えば、第１時間単位がスロットである。第１関係テーブルは表１または表２に示され得る。表１または表２は第１指示情報に含まれてもよいし、事前定義されてもよく、事前定義の方法はプロトコルにおいて事前規定されるか、またはデバイス送達の前に構成され得る。表１は、周波数領域内で第３リソースにより占有される帯域幅の範囲と、時間領域内で第３リソースにより占有されるシンボルの数との間の少なくとも１つの対応関係を提供する。表２は、時間領域内で第３リソースにより占有されるシンボルの数の範囲と、周波数領域内で第３リソースにより占有される帯域幅との間の少なくとも１つの対応関係を提供する。表１および表２は、時間領域内における第３リソースのシンボルの数と、周波数領域内で第３リソースにより占有される帯域幅との間の考えられる対応関係方式を提供するものに過ぎず、実際の適用はこれに限定されない。
【表１】
2022500945.tif 000003
【表２】
2022500945.tif 000004
【０１０５】
周波数領域内で第３リソースにより占有されるリソースブロックの数は、サブチャネルに含まれるリソースブロックの数と同じであってよく、第３リソースは、周波数領域内で第２リソースにより占有される少なくとも１つのサブチャネルの中で最も小さなシーケンス番号を有するサブチャネル上に位置付けられる。第１指示情報は、第１リソース、およびサブチャネルに含まれるリソースブロックの数の両方を示す。従って、周波数領域内で第３リソースにより占有されるリソースブロックの数がサブチャネルに含まれるリソースブロックの数と同じであることが事前定義されている場合は、第１通信デバイスの処理ユニット２２は、周波数領域内で第３リソースにより占有されるリソースブロックの数を直接取得することができる。第１関係テーブルが表１に示されている場合は、第１通信デバイスの処理ユニット２２は、周波数領域内で第３リソースにより占有されるリソースブロックの数と表１とに基づいて、時間領域内で第３リソースにより占有されるシンボルの数を決定することで、第１対応関係を取得する。例えば、サブチャネルに含まれるリソースブロックの数が８である場合は、第１通信デバイスの処理ユニット２２は、周波数領域内で第３リソースにより占有されるリソースブロックの数も８であることを直接知ることができる。第１関係テーブルが表１に示されている場合は、第１通信デバイスの処理ユニット２２は、表１と、周波数領域内で第３リソースにより占有されるリソースブロックの数が８であることとに基づいて、時間領域内で第３リソースにより占有されるシンボルの数が３であると判断することができる。従って、第１対応関係は、時間領域内で占有されるシンボルの数が３であり、かつ、周波数領域内で占有されるリソースブロックの数が８であるということである。
【０１０６】
第１指示情報は更に、時間領域内で第３リソースにより占有されるシンボルの数、および、周波数領域内で第３リソースにより占有されるリソースブロックの数のうちの少なくとも一方を含み得る。第１関係テーブルが表１に示されている場合は、第１指示情報は、周波数領域内で第３リソースにより占有されるリソースブロックの数を含み得る。例えば、周波数領域内で第３リソースにより占有されるリソースブロックの数が６である場合は、第１通信デバイスは、表１に基づいて、時間領域内で第３リソースにより占有されるシンボルの数が４であると判断することができ、その結果、第１対応関係は、時間領域内で占有されるシンボルの数が４であり、かつ、周波数領域内で占有されるリソースブロックの数が６であるということである。第１関係テーブルが表２に示されている場合は、第１指示情報は、時間領域内で第３リソースにより占有されるシンボルの数を含み得る。例えば、時間領域内で第３リソースにより占有されるシンボルの数が７である場合は、第１通信デバイスは、表２に基づいて、周波数領域内で第３リソースにより占有されるリソースブロックの数が３であると判断することができ、その結果、第１対応関係は、時間領域内で占有されるシンボルの数が７であり、かつ、周波数領域内で占有されるリソースブロックの数が３であるということである。代替的に、周波数領域内で第３リソースにより占有されるリソースブロックの数が、サブチャネルに含まれるリソースブロックの数と同じである場合は、第１指示情報は、時間領域内で第３リソースにより占有されるシンボルの数を含み、第１通信デバイスは、サブチャネルに含まれるリソースブロックの数を取得することにより、周波数領域内で第３リソースにより占有されるリソースブロックの数を取得することができる。例えば、サブチャネルに含まれるリソースブロックの数が８であり、かつ、時間領域内で第３リソースにより占有されるシンボルの数が３である場合は、第１対応関係は、時間領域内で占有されるシンボルの数が３であり、かつ、周波数領域内で占有されるリソースブロックの数が８であるということである。代替的に、第１指示情報は第１対応関係を直接示し、第１指示情報は、時間領域内で第３リソースにより占有されるシンボルの数と、周波数領域内で第３リソースにより占有されるリソースブロックの数とを含んでよく、第１通信デバイスは第１対応関係を直接取得することができる。例えば、第１対応関係は、時間領域内で占有されるシンボルの数が４であり、かつ、周波数領域内で占有されるリソースブロックの数が６であるということであってよい。
【０１０７】
段階５１：第１通信デバイスが第３リソースおよび第４リソースを取得する。図７には、第１通信デバイスおよび第２通信デバイスがネットワークカバレッジ外にある場合、すなわち、Ｖ２Ｘユーザ選択モード、例えば、モード４で通信している場合に、第１通信デバイスが第３リソースおよび第４リソースを取得する特定の段階が示されている。ユーザ選択モードでの通信は、制御情報およびデータを伝送するために使用されるリソースを通信デバイスが独立して選択するＶ２Ｘ通信である。第１通信デバイスはリソースプールから第３リソースおよび第４リソースを選択し、サイドリンク制御情報を通じて、第１通信デバイスにより選択される第３リソースおよび第４リソースを別の通信デバイスに通知する。
【０１０８】
段階７１では、第１通信デバイスの処理ユニット２２は第５リソースから第２リソースを選択し、第２リソースは第３リソースおよび第４リソースを含み、第５リソースは、サイドリンク情報を伝送するために使用される事前定義されたリソースセットであり、サイドリンク情報はサイドリンク制御情報およびサイドリンクデータを含み、第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含み、第５リソース内にあり、かつ、サイドリンク制御情報を伝送するために使用される、リソースの時間領域リソースおよび周波数領域リソースが、事前定義された第１対応関係を満たし、第３リソースは第１対応関係を満たす。第５リソースは事前定義されたサイドリンク通信リソースプールであってよく、第１通信デバイスは第５リソースから第２リソースを独立して選択する。時間単位は、スロット、ミニスロット、またはサブフレームであってよい。第１通信デバイスは、事前定義された第１対応関係に基づいて第２リソースから第３リソースを選択し、第３リソースのサイズに基づいて第２リソース内の第４リソースを決定する。
【０１０９】
図８に示すように、１つのスロットが例として使用されている。１つのスロットが１４個のシンボルを含んでよく、そのスロット内の最後のシンボルがガードインターバルに使用される。制御情報およびデータを伝送するために実際に使用されるシンボルの数が１３である。図８はスロット内におけるシンボルの使用例のみを示しており、別の使用事例が存在し得る。例えば、第１シンボルは自動利得制御（Ａｕｔｏｍａｔｉｃ  Ｇａｉｎ  Ｃｏｎｔｒｏｌ、ＡＧＣ）に使用され、最後のシンボルはガードインターバルに使用され、制御情報およびデータを伝送するために実際に使用されるシンボルの数は１２である。図８の（ａ）は制御情報とデータとの間のリソースマッピングの考えられる概略図、すなわち、第３リソースおよび第４リソースの考えられる構成である。第１対応関係は、時間領域内で占有されるシンボルの数が３であり、かつ、周波数領域内で占有されるリソースブロックの数が８であるということである。第２リソースは時間領域内で１つのスロットを占有し、周波数領域内で１つのサブチャネルを占有し、サブチャネルの帯域幅が８つのリソースブロックである。この場合は、第３リソースは時間領域内で３つのシンボルを占有し、周波数領域内で８つのリソースブロックを占有し、第４リソースは時間領域内で１０個のシンボルを占有し、周波数領域内で８つのリソースブロックを占有する。図８の（ｂ）は制御情報とデータとの間のリソースマッピングの別の考えられる概略図、すなわち、第３リソースおよび第４リソースの考えられる構成である。第１対応関係は、時間領域内で占有されるシンボルの数が３であり、かつ、周波数領域内で占有されるリソースブロックの数が８であるということである。第２リソースは時間領域内で１つのスロットを占有し、周波数領域内で２つのサブチャネルを占有し、サブチャネルの帯域幅が８つのリソースブロックである。この場合は、第３リソースは時間領域内で３つのシンボルを占有し、周波数領域内で８つのリソースブロックを占有し、シーケンス番号が比較的小さいサブチャネル上に位置付けられる。第４リソースは２つのサブチャネルを占有する。すなわち、第４リソースは時間領域内で１０個のシンボルを占有し、周波数領域内で１つのサブチャネルを占有し、時間領域内で１３個のシンボルを占有し、周波数領域内で１つのサブチャネルを占有する。
【０１１０】
第３リソースはｍ個の制御チャネル要素を含んでよく、ｍは１より大きいか１に等しい整数であり、制御チャネル要素は時間領域内に少なくとも１つのシンボルを、周波数領域内に少なくとも１つのリソースブロックまたはサブキャリアを含む。第１指示情報は更に、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つを示し得る、または、第３リソースに含まれる制御チャネル要素の数ｍ、時間領域内で制御チャネル要素に含まれるシンボルの数、および周波数領域内で制御チャネル要素に含まれるリソースブロックまたはサブキャリアの数のうちの少なくとも１つが、事前定義された情報である。第３リソースに含まれるｍ個の制御チャネル要素は、時間領域優先方式または周波数領域優先方式で、第２リソースに含まれる最も小さなシーケンス番号を有するサブチャネルにマッピングされる。制御チャネル要素は、Ｖ２Ｘ制御メッセージ（Ｖ２Ｘ  Ｃｏｎｔｒｏｌ  Ｃｈａｎｎｅｌ  Ｅｌｅｍｅｎｔ、Ｖ２Ｘ  ＣＣＥ）を送信するための制御チャネル要素であってよい。Ｖ２Ｘ  ＣＣＥは時間領域内で１または複数のシンボルを占有し、周波数領域内で１または複数のサブキャリアまたはリソースブロックを占有する。例えば、Ｖ２Ｘ  ＣＣＥのサイズは、Ｖ２Ｘ  ＣＣＥが時間領域内で１つのシンボルを占有し、周波数領域内で２つのリソースブロックを占有するようなものであってよい。Ｖ２Ｘ  ＣＣＥのサイズは第１指示情報により示されてもよいし、直接事前定義されてもよく、Ｖ２Ｘ  ＣＣＥの数ｍは第１指示情報により示されるか、または直接事前定義されてもよい。第１通信デバイスは、Ｖ２Ｘ  ＣＣＥのサイズおよび数ｍに基づいて、時間領域優先方式または周波数領域優先方式で、第２リソースに含まれる最も小さなシーケンス番号を有するサブチャネル上の第３リソースを決定する。
【０１１１】
図９に示すように、１つのスロットが例として使用される。１つのスロットが１４個のシンボルを含んでよく、そのスロット内の最後のシンボルがガードインターバルに使用される。制御情報およびデータを伝送するために実際に使用されるシンボルの数が１３である。図９の（ａ）および図９の（ｂ）はそれぞれ、制御情報とデータとの間のリソースマッピングの考えられる概略図、すなわち、第３リソースおよび第４リソースの考えられる構成を提供する。Ｖ２Ｘ  ＣＣＥの数ｍは４であり、Ｖ２Ｘ  ＣＣＥは時間領域内で１つのシンボルを占有し、周波数領域内で２つのリソースブロックを占有し、サブチャネルの帯域幅が６つのリソースブロックであり、第２リソースは時間領域内で１つのスロットを占有し、周波数領域内で２つのサブチャネルを占有する。図９の（ａ）および図９の（ｂ）は、４つのＶ２Ｘ  ＣＣＥのリソースマッピング状況を周波数領域優先方式および時間領域優先方式でそれぞれ示しており、Ｖ２Ｘ  ＣＣＥは、最も小さなシーケンス番号を有するサブチャネル上に位置付けられる。図９の（ａ）では、４つのＶ２Ｘ  ＣＣＥは、周波数領域リソースブロックシンボルが小さい順に配置され、第１シンボルが６つのリソースブロックにより完全に占有された後、次のシンボルに対応するリソースブロックが配置される。図９の（ｂ）では、４つのＶ２Ｘ  ＣＣＥは、時間領域シンボルが小さい順に配置される。４つのＶ２Ｘ  ＣＣＥは第３リソースを形成し、第４リソースは第２リソースのうち第３リソース以外の部分である。
【０１１２】
段階５２：第１通信デバイスの送信ユニット２１が、第３リソース上で第２通信デバイスにサイドリンク制御情報を送信し、第１通信デバイスの送信ユニット２１が、第４リソース上でサイドリンク制御情報に基づいて第２通信デバイスにサイドリンクデータを送信する。第２通信デバイスの受信ユニット３３が、第３リソース上で第１通信デバイスからサイドリンク制御情報を受信し、第２通信デバイスの受信ユニット３３が、第４リソース上でサイドリンク制御情報に基づいて第１通信デバイスからサイドリンクデータを受信する。
【０１１３】
ネットワークデバイスの送信ユニット４１は、第１通信デバイスに第１指示情報を送信し、第１通信デバイスの受信ユニット２３は、ネットワークデバイスから第１指示情報を受信し、第１指示情報は第１リソースを示し、第１リソースは、サイドリンク情報を伝送するために使用されるリソースセットである。第１リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含む。第１指示情報は更に第６リソースまたは第７リソースのうちの少なくとも一方を示し、第１リソースは第６リソースおよび第７リソースを含み、第６リソースは、サイドリンク制御情報を伝送するために使用されるリソースセットであり、第７リソースは、サイドリンクデータを伝送するために使用されるリソースセットである。ネットワークデバイスの送信ユニット４１は更に、第２通信デバイスに第１指示情報を送信することができる。この実施形態では、第１通信デバイスおよび第２通信デバイスが例として使用されている。実際、ネットワークデバイスの送信ユニットは更に、第１通信デバイスおよび第２通信デバイス以外の別の通信デバイスに第１指示情報を送信することができる。第１指示情報は無線リソース制御（Ｒａｄｉｏ  Ｒｅｓｏｕｒｃｅ  Ｃｏｎｔｒｏｌ、ＲＲＣ）シグナリングであってよく、第１リソースは、ネットワークデバイスにより構成され、かつ、サイドリンク通信に使用される、リソースプールであってよく、サイドリンク通信用のリソースプールは、サイドリンク通信用の時間リソースと周波数リソースとのセットであってよい。第１リソースは時間領域内に少なくとも１つの時間単位を含み、時間単位は、ミニスロット、スロット、またはサブフレームであってよい。第１指示情報は、第１リソース、およびサブチャネルに含まれるリソースブロックの数の両方を示す。
【０１１４】
ネットワークデバイスの送信ユニット４１は第１通信デバイスに第１制御情報を送信し、第１通信デバイスの受信ユニット２３はネットワークデバイスから第１制御情報を受信し、第１制御情報は第３リソースまたは第４リソースのうちの少なくとも一方を示す。第３リソースは第６リソースに属し、第３リソースは、第２通信デバイスにサイドリンク制御情報を送信するために第１通信デバイスにより使用され、第３リソースは時間領域内に少なくとも１つのシンボルを、周波数領域内に少なくとも１つのリソースブロックを含む。第４リソースは第７リソースに属し、第４リソースは、サイドリンク制御情報に基づいて第２通信デバイスにサイドリンクデータを送信するために第１通信デバイスにより使用され、第４リソースは時間領域内に少なくとも１つのシンボルを、周波数領域内に少なくとも１つのリソースブロックを含む。第１制御情報はダウンリンク制御シグナリング（Ｄｏｗｎｌｉｎｋ  Ｃｏｎｔｒｏｌ  Ｉｎｆｏｒｍａｔｉｏｎ、ＤＣＩ）であってよく、第１通信デバイスは、第１制御情報に基づいて、第１リソース、すなわち、サイドリンク通信リソースプールから、第２通信デバイスにサイドリンク制御情報を送信するために使用される第３リソースと、第２通信デバイスにサイドリンクデータを送信するために使用される第４リソースとを選択する。
【０１１５】
第１通信デバイスの処理ユニット２２は更に、第６リソースから第３リソースを選択し、第７リソースから第４リソースを選択することができる。第６リソースおよび第７リソースは第５リソースに属し、第５リソースは、サイドリンク情報を伝送するために使用される事前定義されたリソースセットである。第６リソースは、サイドリンク制御情報を伝送するために使用される事前定義されたリソースセットであり、第７リソースは、サイドリンクデータを伝送するために使用される事前定義されたリソースセットである。第５リソースは時間領域内に少なくとも１つの時間単位を、周波数領域内に少なくとも１つのサブチャネルを含み、時間単位は少なくとも１つのシンボルを含み、サブチャネルは少なくとも１つのリソースブロックを含む。第５リソースは事前定義されたサイドリンク通信リソースプールであってよく、第１通信デバイスは、第６リソースおよび第７リソースから第３リソースおよび第４リソースを独立して選択する。時間単位は、スロット、ミニスロット、またはサブフレームであってよい。
【０１１６】
図１０は、２つの考えられるリソースプール構成モードを示す。第６リソースは制御メッセージ時間周波数リソースセットであってよい。図１０の（ａ）では、１つの制御メッセージ時間周波数リソースセットが含まれ、４つのサブチャネルが占有されている。図１０の（ｂ）では、２つの制御メッセージ時間周波数リソースセットが含まれ、各制御メッセージ時間周波数リソースセットは２つのサブチャネルを占有する。
【０１１７】
図１１は、ユーザ１およびユーザ２のリソース構成の考えられる概略図である。ユーザ１およびユーザ２の制御メッセージにより占有されるリソースが、制御メッセージ時間周波数リソースセット内で異なるリソースを占有し、ユーザ１のデータが１つのサブチャネルを占有し、ユーザ２のデータが２つのサブチャネルを占有する。第１通信デバイスの送信ユニット２１は、第３リソース上で第２通信デバイスにサイドリンク制御情報を送信し、第１通信デバイスの送信ユニット２１は、第４リソース上でサイドリンク制御情報に基づいて第２通信デバイスにサイドリンクデータを送信する。第２通信デバイスの受信ユニット３３は、第３リソース上で第１通信デバイスからサイドリンク制御情報を受信し、第２通信デバイスの受信ユニット３３は、第４リソース上でサイドリンク制御情報に基づいて第１通信デバイスからサイドリンクデータを受信する。
【０１１８】
［他の考えられる項目］
［項目１］
サイドリンク情報の伝送方法であって、
ネットワークデバイスが第１通信デバイスに第１指示情報を送信する段階であって、上記第１指示情報は第１リソースを示し、上記第１リソースは、サイドリンク情報を伝送するために使用されるリソースセットであり、上記サイドリンク情報はサイドリンク制御情報およびサイドリンクデータを含み、上記第１リソースは、時間領域内に少なくとも１つの時間単位を、周波数領域内に少なくとも１つのサブチャネルを含み、上記時間単位は少なくとも１つのシンボルを含み、上記サブチャネルは少なくとも１つのリソースブロックを含み、上記第１指示情報は更に、上記第１リソース内にあり、かつ、上記サイドリンク制御情報を伝送するために使用される、リソースの時間領域リソースおよび周波数領域リソースにより満たされる第１対応関係を取得するために使用される、段階と、
上記ネットワークデバイスが上記第１通信デバイスに第１制御情報を送信する段階であって、上記第１制御情報は第２リソースを示し、上記第２リソースは上記第１リソースに属し、上記第２リソースは第３リソースおよび第４リソースを含み、上記第３リソースは、第２通信デバイスに上記サイドリンク制御情報を送信するために上記第１通信デバイスにより使用され、上記第３リソースは時間領域内に少なくとも１つのシンボルを、周波数領域内に少なくとも１つのリソースブロックを含み、上記第３リソースは上記第１対応関係を満たし、上記第４リソースは、上記サイドリンク制御情報に基づいて上記第２通信デバイスに上記サイドリンクデータを送信するために第１通信デバイスにより使用される、段階と
を備える方法。
［項目２］
上記第１対応関係は第１関係テーブルに属し、上記第１指示情報は上記第１関係テーブルを含むか、または上記第１関係テーブルは事前定義された関係テーブルであり、上記第１関係テーブルは、時間領域内で上記第３リソースにより占有されるシンボルの数と、周波数領域内で上記第３リソースにより占有されるリソースブロックの数との間の少なくとも１つの対応関係を含む、
項目１に記載の方法。
［項目３］
周波数領域内で上記第３リソースにより占有される上記リソースブロックの上記数は、上記サブチャネルに含まれるリソースブロックの数と同じであり、上記第３リソースは、周波数領域内で上記第２リソースにより占有される少なくとも１つのサブチャネルの中で最も小さなシーケンス番号を有するサブチャネル上に位置付けられる、
項目１および２のどちらか一方に記載の方法。
［項目４］
上記第１指示情報は、時間領域内で上記第３リソースにより占有される上記シンボルの上記数、および周波数領域内で上記第３リソースにより占有される上記リソースブロックの上記数のうちの少なくとも一方を含む、
項目１から３のいずれか一項に記載の方法。
［項目５］
上記第３リソースはｍ個の制御チャネル要素を含み、ｍは１より大きいか１に等しい整数であり、上記制御チャネル要素は時間領域内に少なくとも１つのシンボルを、周波数領域内に少なくとも１つのリソースブロックまたはサブキャリアを含む、
項目１から４のいずれか一項に記載の方法。
［項目６］
上記第１指示情報は更に、上記第３リソースに含まれる上記制御チャネル要素の上記数ｍ、時間領域内で上記制御チャネル要素に含まれるシンボルの数、および周波数領域内で上記制御チャネル要素に含まれるリソースブロックまたはサブキャリアの数のうちの少なくとも１つを示す、または、上記第３リソースに含まれる上記制御チャネル要素の上記数ｍ、時間領域内で上記制御チャネル要素に含まれるシンボルの数、および周波数領域内で上記制御チャネル要素に含まれるリソースブロックまたはサブキャリアの数のうちの少なくとも１つが、事前定義された情報である、
項目５に記載の方法。
［項目７］
上記第３リソースに含まれる上記ｍ個の制御チャネル要素は、時間領域優先方式または周波数領域優先方式で、上記第２リソースに含まれる上記最も小さなシーケンス番号を有する上記サブチャネルにマッピングされる、
項目５および６のどちらか一方に記載の方法。
［項目８］
サイドリンク情報の伝送方法であって、
第１通信デバイスが第３リソース上で第２通信デバイスにサイドリンク制御情報を送信する段階であって、上記第３リソースは時間領域内に少なくとも１つのシンボルを、周波数領域内に少なくとも１つのリソースブロックを含む、段階と、
上記第１通信デバイスが第４リソース上で上記サイドリンク制御情報に基づいて上記第２通信デバイスにサイドリンクデータを送信する段階であって、上記第４リソースは時間領域内に少なくとも１つのシンボルを、周波数領域内に少なくとも１つのリソースブロックを含む、段階と
を備える方法。
［項目９］
上記第１通信デバイスがネットワークデバイスから第１指示情報を受信する段階であって、上記第１指示情報は第１リソースを示し、上記第１リソースは、サイドリンク情報を伝送するために使用されるリソースセットであり、上記サイドリンク情報は上記サイドリンク制御情報および上記サイドリンクデータを含み、上記第１リソースは時間領域内に少なくとも１つの時間単位を、周波数領域内に少なくとも１つのサブチャネルを含み、上記時間単位は少なくとも１つのシンボルを含み、上記サブチャネルは少なくとも１つのリソースブロックを含み、上記第１指示情報は更に、上記第１リソース内にあり、かつ、上記サイドリンク制御情報を伝送するために使用される、リソースの時間領域リソースおよび周波数領域リソースにより満たされる第１対応関係を取得するために使用される、段階と、
上記第１通信デバイスが上記ネットワークデバイスから第１制御情報を受信する段階であって、上記第１制御情報は第２リソースを示し、上記第２リソースは上記第１リソースに属し、上記第２リソースは上記第３リソースおよび上記第４リソースを含み、上記第３リソースは上記第１対応関係を満たす、段階と
を更に備える項目８に記載の方法。
［項目１０］
上記第１対応関係は第１関係テーブルに属し、上記第１指示情報は上記第１関係テーブルを含むか、または上記第１関係テーブルは事前定義された関係テーブルであり、上記第１関係テーブルは、上記第３リソースにより占有されるシンボルの数と、周波数領域内で上記第３リソースにより占有されるリソースブロックの数との間の少なくとも１つの対応関係を含む、
項目９に記載の方法。
［項目１１］
周波数領域内で上記第３リソースにより占有される上記リソースブロックの上記数は、上記サブチャネルに含まれるリソースブロックの数と同じであり、上記第３リソースは、周波数領域内で上記第２リソースにより占有される少なくとも１つのサブチャネルの中で最も小さなシーケンス番号を有するサブチャネル上に位置付けられる、
項目９および１０のどちらか一方に記載の方法。
［項目１２］
上記第１指示情報は、時間領域内で上記第３リソースにより占有される上記シンボルの上記数、および周波数領域内で上記第３リソースにより占有される上記リソースブロックの上記数のうちの少なくとも一方を含む、
項目９から１１のいずれか一項に記載の方法。
［項目１３］
上記第１通信デバイスが第５リソースから第２リソースを選択する段階であって、上記第２リソースは上記第３リソースおよび上記第４リソースを含み、上記第５リソースは、サイドリンク情報を伝送するために使用される事前定義されたリソースセットであり、上記サイドリンク情報は上記サイドリンク制御情報および上記サイドリンクデータを含み、上記第５リソースは時間領域内に少なくとも１つの時間単位を、周波数領域内に少なくとも１つのサブチャネルを含み、上記時間単位は少なくとも１つのシンボルを含み、上記サブチャネルは少なくとも１つのリソースブロックを含み、上記第５リソース内にあり、かつ、上記サイドリンク制御情報を伝送するために使用される、リソースの時間領域リソースおよび周波数領域リソースが、事前定義された第１対応関係を満たし、上記第３リソースは上記第１対応関係を満たす、段階
を更に備える項目８に記載の方法。
［項目１４］
上記第３リソースはｍ個の制御チャネル要素を含み、ｍは１より大きいか１に等しい整数であり、上記制御チャネル要素は時間領域内に少なくとも１つのシンボルを、周波数領域内に少なくとも１つのリソースブロックまたはサブキャリアを含む、
項目９から１３のいずれか一項に記載の方法。
［項目１５］
上記第１指示情報は更に、上記制御チャネル要素の上記数ｍ、時間領域内で上記制御チャネル要素に含まれるシンボルの数、および周波数領域内で上記制御チャネル要素に含まれるリソースブロックまたはサブキャリアの数のうちの少なくとも１つを示す、または、上記制御チャネル要素の上記数ｍ、時間領域内で上記制御チャネル要素に含まれるシンボルの数、および周波数領域内で上記制御チャネル要素に含まれるリソースブロックまたはサブキャリアの数のうちの少なくとも１つが、事前定義され得る、
項目１４に記載の方法。
［項目１６］
上記第３リソースに含まれる上記ｍ個の制御チャネル要素は、時間領域優先方式または周波数領域優先方式で、上記第２リソースに含まれる上記最も小さなシーケンス番号を有する上記サブチャネルにマッピングされる、
項目１４および１５のどちらか一方に記載の方法。
［項目１７］
ネットワークデバイスであって、
第１通信デバイスに第１指示情報を送信するように構成される送信ユニットであって、上記第１指示情報は第１リソースを示し、上記第１リソースは、サイドリンク情報を伝送するために使用されるリソースセットであり、上記サイドリンク情報はサイドリンク制御情報およびサイドリンクデータを含み、上記第１リソースは、時間領域内に少なくとも１つの時間単位を、周波数領域内に少なくとも１つのサブチャネルを含み、上記時間単位は少なくとも１つのシンボルを含み、上記サブチャネルは少なくとも１つのリソースブロックを含み、上記第１指示情報は更に、上記第１リソース内にあり、かつ、上記サイドリンク制御情報を伝送するために使用される、リソースの時間領域リソースおよび周波数領域リソースにより満たされる第１対応関係を取得するために使用される、送信ユニット
を備え、
上記送信ユニットは更に、上記第１通信デバイスに第１制御情報を送信するように構成され、上記第１制御情報は第２リソースを示し、上記第２リソースは上記第１リソースに属し、上記第２リソースは第３リソースおよび第４リソースを含み、上記第３リソースは、第２通信デバイスに上記サイドリンク制御情報を送信するために上記第１通信デバイスにより使用され、上記第３リソースは時間領域内に少なくとも１つのシンボルを、周波数領域内に少なくとも１つのリソースブロックを含み、上記第３リソースは上記第１対応関係を満たし、上記第４リソースは、上記サイドリンク制御情報に基づいて上記第２通信デバイスに上記サイドリンクデータを送信するために上記第１通信デバイスにより使用される、
ネットワークデバイス。
［項目１８］
上記第１対応関係は第１関係テーブルに属し、上記第１指示情報は上記第１関係テーブルを含むか、または上記第１関係テーブルは事前定義された関係テーブルであり、上記第１関係テーブルは、時間領域内で上記第３リソースにより占有されるシンボルの数と、周波数領域内で上記第３リソースにより占有されるリソースブロックの数との間の少なくとも１つの対応関係を含む、
項目１７に記載のネットワークデバイス。
［項目１９］
周波数領域内で上記第３リソースにより占有される上記リソースブロックの上記数は、上記サブチャネルに含まれるリソースブロックの数と同じであり、上記第３リソースは、周波数領域内で上記第２リソースにより占有される少なくとも１つのサブチャネルの中で最も小さなシーケンス番号を有するサブチャネル上に位置付けられる、
項目１７および１８のどちらか一方に記載のネットワークデバイス。
［項目２０］
上記第１指示情報は、時間領域内で上記第３リソースにより占有される上記シンボルの上記数、および周波数領域内で上記第３リソースにより占有される上記リソースブロックの上記数のうちの少なくとも一方を含む、
項目１７から１９のいずれか一項に記載のネットワークデバイス。
［項目２１］
上記第３リソースはｍ個の制御チャネル要素を含み、ｍは１より大きいか１に等しい整数であり、上記制御チャネル要素は時間領域内に少なくとも１つのシンボルを、周波数領域内に少なくとも１つのリソースブロックまたはサブキャリアを含む、
項目１７から２０のいずれか一項に記載のネットワークデバイス。
［項目２２］
上記第１指示情報は更に、上記第３リソースに含まれる上記制御チャネル要素の上記数ｍ、時間領域内で上記制御チャネル要素に含まれるシンボルの数、および周波数領域内で上記制御チャネル要素に含まれるリソースブロックまたはサブキャリアの数のうちの少なくとも１つを示す、または、上記第３リソースに含まれる上記制御チャネル要素の上記数ｍ、時間領域内で上記制御チャネル要素に含まれるシンボルの数、および周波数領域内で上記制御チャネル要素に含まれるリソースブロックまたはサブキャリアの数のうちの少なくとも１つが、事前定義された情報である、
項目２１に記載のネットワークデバイス。
［項目２３］
上記第３リソースに含まれる上記ｍ個の制御チャネル要素は、時間領域優先方式または周波数領域優先方式で、上記第２リソースに含まれる上記最も小さなシーケンス番号を有する上記サブチャネルにマッピングされる、
項目２１および２２のどちらか一方に記載のネットワークデバイス。
［項目２４］
第１通信デバイスであって、
第３リソース上で第２通信デバイスにサイドリンク制御情報を送信するように構成される送信ユニットであって、上記第３リソースは時間領域内に少なくとも１つのシンボルを、周波数領域内に少なくとも１つのリソースブロックを含む、送信ユニット
を備え、
上記送信ユニットは更に、第４リソース上で上記サイドリンク制御情報に基づいて上記第２通信デバイスにサイドリンクデータを送信するように構成され、上記第４リソースは時間領域内に少なくとも１つのシンボルを、周波数領域内に少なくとも１つのリソースブロックを含む、
第１通信デバイス。
［項目２５］
ネットワークデバイスから第１指示情報を受信するように構成される受信ユニットであって、上記第１指示情報は第１リソースを示し、上記第１リソースは、サイドリンク情報を伝送するために使用されるリソースセットであり、上記サイドリンク情報は上記サイドリンク制御情報および上記サイドリンクデータを含み、上記第１リソースは時間領域内に少なくとも１つの時間単位を、周波数領域内に少なくとも１つのサブチャネルを含み、上記時間単位は少なくとも１つのシンボルを含み、上記サブチャネルは少なくとも１つのリソースブロックを含み、上記第１指示情報は更に、上記第１リソース内にあり、かつ、上記サイドリンク制御情報を伝送するために使用される、リソースの時間領域リソースおよび周波数領域リソースにより満たされる第１対応関係を取得するために使用される、受信ユニット
を備え、
上記受信ユニットは更に、上記ネットワークデバイスから第１制御情報を受信するように構成され、上記第１制御情報は第２リソースを示し、上記第２リソースは上記第１リソースに属し、上記第２リソースは上記第３リソースおよび上記第４リソースを含み、上記第３リソースは上記第１対応関係を満たす、
項目２４に記載の第１通信デバイス。
［項目２６］
上記第１対応関係は第１関係テーブルに属し、上記第１指示情報は上記第１関係テーブルを含むか、または上記第１関係テーブルは事前定義された関係テーブルであり、上記第１関係テーブルは、上記第３リソースにより占有されるシンボルの数と、周波数領域内で上記第３リソースにより占有されるリソースブロックの数との間の少なくとも１つの対応関係を含む、
項目２５に記載の第１通信デバイス。
［項目２７］
周波数領域内で上記第３リソースにより占有される上記リソースブロックの上記数は、上記サブチャネルに含まれるリソースブロックの数と同じであり、上記第３リソースは、周波数領域内で上記第２リソースにより占有される少なくとも１つのサブチャネルの中で最も小さなシーケンス番号を有するサブチャネル上に位置付けられる、
項目２５および２６のどちらか一方に記載の第１通信デバイス。
［項目２８］
上記第１指示情報は、時間領域内で上記第３リソースにより占有される上記シンボルの上記数、および周波数領域内で上記第３リソースにより占有される上記リソースブロックの上記数のうちの少なくとも一方を含む、
項目２５から２７のいずれか一項に記載の第１通信デバイス。
［項目２９］
第５リソースから第２リソースを選択するように構成される処理ユニットであって、上記第２リソースは上記第３リソースおよび上記第４リソースを含み、上記第５リソースは、サイドリンク情報を伝送するために使用される事前定義されたリソースセットであり、上記サイドリンク情報は上記サイドリンク制御情報および上記サイドリンクデータを含み、上記第５リソースは時間領域内に少なくとも１つの時間単位を、周波数領域内に少なくとも１つのサブチャネルを含み、上記時間単位は少なくとも１つのシンボルを含み、上記サブチャネルは少なくとも１つのリソースブロックを含み、上記第５リソース内にあり、かつ、上記サイドリンク制御情報を伝送するために使用される、リソースの時間領域リソースおよび周波数領域リソースが、事前定義された第１対応関係を満たし、上記第３リソースは上記第１対応関係を満たす、処理ユニット
を備える項目２４に記載の第１通信デバイス。
［項目３０］
上記第３リソースはｍ個の制御チャネル要素を含み、ｍは１より大きいか１に等しい整数であり、上記制御チャネル要素は時間領域内に少なくとも１つのシンボルを、周波数領域内に少なくとも１つのリソースブロックまたはサブキャリアを含む、
項目２５から２９のいずれか一項に記載の第１通信デバイス。
［項目３１］
上記第１指示情報は更に、上記制御チャネル要素の上記数ｍ、時間領域内で上記制御チャネル要素に含まれるシンボルの数、および周波数領域内で上記制御チャネル要素に含まれるリソースブロックまたはサブキャリアの数のうちの少なくとも１つを示す、または、上記制御チャネル要素の上記数ｍ、時間領域内で上記制御チャネル要素に含まれるシンボルの数、および周波数領域内で上記制御チャネル要素に含まれるリソースブロックまたはサブキャリアの数のうちの少なくとも１つが、事前定義され得る、
項目３０に記載の第１通信デバイス。
［項目３２］
上記第３リソースに含まれる上記ｍ個の制御チャネル要素は、時間領域優先方式または周波数領域優先方式で、上記第２リソースに含まれる上記最も小さなシーケンス番号を有する上記サブチャネルにマッピングされる、
項目３０および３１のどちらか一方に記載の第１通信デバイス。
【図１】
2022500945.tif 000005
【図２】
2022500945.tif 000006
【図３】
2022500945.tif 000007
【図４】
2022500945.tif 000008
【図５】
2022500945.tif 000009
【図６】
2022500945.tif 000010
【図７】
2022500945.tif 000011
【図８】
2022500945.tif 000012
【図９】
2022500945.tif 000013
【図１０】
2022500945.tif 000014
【図１１】
2022500945.tif 000015
【国際調査報告】
2022500945.tif 000016
2022500945.tif 000017
2022500945.tif 000018
2022500945.tif 000019